(57)【要約】  （ｉ）映像・音声データは任意の機器間で一方向送信され、（ｉｉ）制御メッセージは全ての機器間で双方向送信され、かつ（ｉｉｉ）受信機器から送信機器へ、送信機器の音声再生能力情報の一方向伝送が可能なとき、映像・音声データの送受信のための機器の接続が有効になり、ＴＶ（３１）は、ＤＶＤレコーダ（１０）に対して、ＡＶアンプ（２１）の音声再生能力情報を、制御メッセージに含めて送信し（３０Ｍ３）、映像・音声データがＤＶＤレコーダ（１０）からＴＶ（３１）に一方向に送信されるように、ＤＶＤレコーダ（１０）及びＴＶ（３１）が接続され、かつ、他のネットワークを通じて音声データがＴＶ（３１）からＡＶアンプ（２１）に出力されるように、ＴＶ（３１）及びＡＶアンプ（２１）が接続されるとき、ＴＶ（３１）は、制御メッセージを送信する場合には、ＤＶＤレコーダ（１０）に対して一方向伝送を用いた音声再生能力情報の再伝送を禁止する。
2008072695.tif 000002
【特許請求の範囲】
【請求項１】
映像データ及び音声データを再生する映像音声再生機器と、前記映像音声再生機器で再生された前記音声データを出力することが可能な音声出力機器とにネットワークを介して接続され、前記映像音声再生機器で再生された前記映像データおよび前記音声データを出力することが可能な映像音声出力機器であって、
前記ネットワークにおいて、（ｉ）前記映像データ及び前記音声データは、任意の２つのデータ送信機器とデータ受信機器間で一方向に送信され、（ｉｉ）制御メッセージは全ての機器間で双方向に送信され、かつ、（ｉｉｉ）データ受信機器側からデータ送信機器側へ、前記データ受信機器の音声再生能力情報の一方向伝送が可能になると、前記映像データ及び前記音声データの送受信のための機器の接続が有効になり、
前記映像音声出力機器は、
前記音声出力機器に対して当該音声出力機器の音声再生能力情報を問い合わせ、取得する音声出力機器の音声再生能力問い合わせ部と、
前記音声出力機器の音声再生能力情報と、当該音声再生能力を利用するか否かを設定する情報とを、前記制御メッセージに含めて、前記映像音声再生機器に対して、送信する制御メッセージ送信部とを備え、
前記ネットワークにおいて、前記映像データ及び前記音声データが前記映像音声再生機器から前記映像音声出力機器に一方向に送信されるように、前記映像音声再生機器及び前記映像音声出力機器が接続され、かつ、前記ネットワークとは異なるネットワークを通じて前記音声データが前記映像音声出力機器から前記音声出力機器に出力されるように、前記映像音声出力機器および前記音声出力機器が接続される場合には、
前記制御メッセージ送信部は、前記制御メッセージを送信する場合には、前記映像音声再生機器に対して一方向伝送を用いた前記音声再生能力情報の再伝送を禁止する
ことを特徴とする映像音声出力機器。
【請求項２】
前記ネットワークにおいて、前記映像データ及び前記音声データが前記映像音声再生機器から前記音声出力機器に一方向に送信されるように、かつ、前記映像データ及び前記音声データが前記音声出力機器から前記映像音声出力機器に一方向に送信されるように、前記映像音声再生機器、前記音声出力機器及び前記映像音声出力機器が接続される場合には、
前記制御メッセージ送信部は、さらに、前記音声出力機器が前記映像音声再生機器に対して一方向伝送を用いた前記音声再生能力情報を切り替えるか否かを設定する情報を、前記制御メッセージに含めて、前記映像音声出力機器に対して送信する
ことを特徴とする請求項１記載の映像音声出力機器。
【請求項３】
映像データ及び音声データを再生する映像音声再生機器と、前記映像音声再生機器で再生された前記映像データ及び前記音声データを出力することが可能な映像音声出力機器とにネットワークを介して接続され、前記映像音声再生機器で再生された前記音声データを出力可能な音声出力機器であって、
前記ネットワークにおいて、（ｉ）前記映像データ及び前記音声データは、任意の２つのデータ送信機器とデータ受信機器間で一方向に送信され、（ｉｉ）制御メッセージは全ての機器間で双方向に送信され、かつ、（ｉｉｉ）データ受信機器側からデータ送信機器側へ、前記データ受信機器の音声再生能力情報の一方向伝送が可能になると、前記映像データ及び前記音声データの送受信のための機器の接続が有効になり、
前記音声出力機器は、
前記音声出力機器の音声再生能力情報と、一方向伝送を用いた前記音声再生能力情報を切り替えるか否かを示す情報とを、前記制御メッセージに含めて、前記映像音声出力機器に対して送信する制御メッセージ送信部と、
前記映像音声出力機器から、一方向伝送を用いた前記音声再生能力情報を切り替えるか否かを設定する情報を含む前記制御メッセージを受信する制御メッセージ受信部とを備え、
前記ネットワークにおいて、前記映像データ及び前記音声データが前記映像音声再生機器から前記音声出力機器に一方向に送信されるように、かつ、前記映像データ及び前記音声データが前記音声出力機器から前記映像音声出力機器に一方向に送信されるように、前記映像音声再生機器、前記音声出力機器及び前記映像音声出力機器が接続される場合には、
前記制御メッセージ受信部は、前記映像音声出力機器が送信した、一方向伝送を用いた前記音声再生能力情報を切り替えない旨を示す前記制御メッセージを受信する場合には、前記映像音声再生機器に対して一方向伝送を用いた前記音声再生能力情報の再伝送を禁止する
ことを特徴とする音声出力機器。
【請求項４】
映像音声再生機器で再生された映像データ及び音声データを出力することが可能な映像音声出力機器と、前記映像音声再生機器で再生された前記音声データを出力することが可能な音声出力機器とにネットワークを介して接続され、前記映像データ及び前記音声データを再生する映像音声再生機器であって、
前記ネットワークにおいて、（ｉ）前記映像データ及び前記音声データは、任意の２つのデータ送信機器とデータ受信機器間で一方向に送信され、（ｉｉ）制御メッセージは全ての機器間で双方向に送信され、かつ、（ｉｉｉ）データ受信機器側からデータ送信機器側へ、前記データ受信機器の音声再生能力情報の一方向伝送が可能になると、前記映像データ及び前記音声データの送受信のための機器の接続が有効になり、
前記映像音声再生機器は、
前記映像音声出力機器から、前記音声出力機器の音声再生能力情報と、当該音声再生能力を利用するか否かを設定する情報とを含む前記制御メッセージを受信する制御メッセージ受信部と、
前記映像データ及び前記音声データを再生する再生部とを備え、
前記再生部は、前記制御メッセージ受信部が、当該音声再生能力を利用する旨を示す前記制御メッセージを受信する場合には、前記音声出力機器からの一方向伝送により受信した音声再生能力情報に従わずに、前記映像音声出力機器から受信した前記制御メッセージに含まれる前記音声再生能力情報に従って、前記音声データを再生する
ことを特徴とする映像音声再生機器。
【請求項５】
ネットワークを介して接続された、映像データ及び音声データを再生する映像音声再生機器と、前記映像音声再生機器で再生された前記音声データを出力することが可能な音声出力機器、前記映像音声再生機器で再生された前記映像データおよび前記音声データを出力することが可能な映像音声出力機器とを備える映像音声データ再生システムであって、
前記ネットワークにおいて、（ｉ）前記映像データ及び前記音声データは、任意の２つのデータ送信機器とデータ受信機器間で一方向に送信され、（ｉｉ）制御メッセージは全ての機器間で双方向に送信され、かつ、（ｉｉｉ）データ受信機器側からデータ送信機器側へ、前記データ受信機器の音声再生能力情報の一方向伝送が可能になると、前記映像データ及び前記音声データの送受信のための機器の接続が有効になり、
前記映像音声出力機器は、
前記音声出力機器に対して当該音声出力機器の音声再生能力情報を問い合わせ、取得する音声出力機器の音声再生能力問い合わせ部と、
前記音声出力機器の音声再生能力情報と、当該音声再生能力を利用するか否かを設定する情報とを、前記制御メッセージに含めて、前記映像音声再生機器に対して送信する映像音声出力機器側制御メッセージ送信部とを備え、
前記映像音声出力機器側制御メッセージ送信部は、さらに、一方向伝送を用いた前記音声再生能力情報を切り替えるか否かを設定する情報を、前記制御メッセージに含めて、前記音声出力機器に対して送信し、
前記音声出力機器は、
前記音声出力機器の音声再生能力情報と、一方向伝送を用いた前記音声再生能力情報を切り替えるか否かを示す情報とを、前記制御メッセージに含めて、前記映像音声出力機器に対して送信する音声出力機器側制御メッセージ送信部と、
前記映像音声出力機器から、一方向伝送を用いた前記音声再生能力情報を切り替えるか否かを設定する情報を含む前記制御メッセージを受信する音声出力機器側制御メッセージ受信部とを備え、
前記映像音声再生機器は、
前記映像音声出力機器から、前記音声出力機器の音声再生能力情報と、当該音声再生能力を利用するか否かを設定する情報とを含む前記制御メッセージを受信する映像音声再生機器側制御メッセージ受信部と、
前記映像データ及び前記音声データを再生する再生部とを備え、
前記ネットワークにおいて、前記映像データ及び前記音声データが前記映像音声再生機器から前記音声出力機器に一方向に送信されるように、かつ、前記映像データ及び前記音声データが前記音声出力機器から前記映像音声出力機器に一方向に送信されるように、前記映像音声再生機器、前記音声出力機器及び前記映像音声出力機器が接続される場合には、
前記音声出力機器側制御メッセージ受信部が、前記映像音声出力機器側制御メッセージ送信部が送信した、一方向伝送を用いた前記音声再生能力情報を切り替えない旨を示す前記制御メッセージを受信する場合には、前記音声出力機器は前記映像音声再生機器に対して一方向伝送を用いた前記音声再生能力情報の再伝送を禁止し、
前記ネットワークにおいて、前記映像データ及び前記音声データが前記映像音声再生機器から前記映像音声出力機器に一方向に送信されるように、前記映像音声再生機器及び前記映像音声出力機器が接続され、かつ、前記ネットワークとは異なるネットワークを通じて前記音声データが前記映像音声出力機器から前記音声出力機器に出力されるように、前記映像音声出力機器及び前記音声出力機器が接続される場合には、
前記映像音声出力機器側制御メッセージ送信部は、前記制御メッセージを送信する場合には、前記映像音声出力機器は前記映像音声再生機器に対して一方向伝送を用いた前記音声再生能力情報の再伝送を禁止し、
前記再生部は、前記映像音声再生機器側制御メッセージ受信部が、音声再生能力を利用する旨を示す前記制御メッセージを受信する場合には、前記音声出力機器からの一方向伝送により受信した音声再生能力情報に従わずに、前記映像音声出力機器から受信した前記制御メッセージに含まれる前記音声再生能力情報に従って、前記音声データを再生する
ことを特徴とする映像音声データ再生システム。
【請求項６】
ネットワークを介して接続された、映像データ及び音声データを再生する映像音声再生機器と、前記映像音声再生機器で再生された前記音声データを出力することが可能な音声出力機器と、前記映像音声再生機器で再生された前記映像データ及び前記音声データを出力することが可能な映像音声出力機器とを備える映像音声データ再生システムにおける映像音声データ再生方法であって、
前記ネットワークにおいて、（ｉ）前記映像データ及び前記音声データは、任意の２つのデータ送信機器とデータ受信機器間で一方向に送信され、（ｉｉ）制御メッセージは全ての機器間で双方向に送信され、かつ、（ｉｉｉ）データ受信機器側からデータ送信機器側へ、前記データ受信機器の音声再生能力情報の一方向伝送が可能になると、前記映像データ及び前記音声データの送受信のための機器の接続が有効になり、
前記映像音声データ再生方法は、
前記映像音声出力機器が、前記音声出力機器に対して当該音声出力機器の音声再生能力情報を問い合わせ、取得するステップと、
前記映像音声出力機器が、前記映像音声再生機器に対して、前記音声出力機器の音声再生能力情報と、当該音声再生能力を利用するか否かを設定する情報とを、前記制御メッセージに含めて送信するステップと、
前記映像音声出力機器が、さらに、前記音声出力機器に対して、一方向伝送を用いた前記音声再生能力情報を切り替えるか否かを設定する情報を、前記制御メッセージに含めて送信するステップとを含み、
前記ネットワークにおいて、前記映像データおよび前記音声データが前記映像音声再生機器から前記音声出力機器に一方向に送信されるように、かつ、前記映像データ及び前記音声データが前記音声出力機器から前記映像音声出力機器に一方向に送信されるように、前記映像音声再生機器、前記音声出力機器及び前記映像音声出力機器が接続される場合には、
前記映像音声データ再生方法は、さらに、前記音声出力機器が、前記映像音声出力機器側制御メッセージ送信部が送信した、一方向伝送を用いた前記音声再生能力情報を切り替えない旨を示す前記制御メッセージを受信する場合には、前記映像音声再生機器に対して一方向伝送を用いた前記音声再生能力情報の再伝送を禁止するステップを含み、
前記ネットワークにおいて、前記映像データ及び音声データが前記映像音声再生機器から前記映像音声出力機器に一方向に送信されるように、前記映像音声再生機器及び前記映像音声出力機器が接続され、かつ、前記ネットワークとは異なるネットワークを通じて前記音声データが前記映像音声出力機器から前記音声出力機器に出力されるように、前記映像音声出力機器および前記音声出力機器が接続される場合には、
前記映像音声データ再生方法は、前記映像音声出力機器が、前記制御メッセージを送信する場合には、前記映像音声再生機器に対して一方向伝送を用いた前記音声再生能力情報の再伝送を禁止するステップと、
前記映像音声再生機器が、当該音声再生能力を利用する旨を示す前記制御メッセージを受信する場合には、前記映像音声出力機器から受信した前記制御メッセージに含まれる前記音声再生能力情報に従って、前記音声データを再生するステップとを含む
ことを特徴とする映像音声データ再生方法。
【発明の詳細な説明】
【技術分野】
【０００１】
本発明は、機器間で、映像・音声データが一方向データ接続により伝送され、制御メッセージが双方向にやり取りされるホームエンターテイメント・ネットワーク等のネットワークにおいて、音声データの出力元である音声再生機器から音声出力機器への出力音声フォーマットを切り替える方法に関する。
【背景技術】
【０００２】
近年、家庭内のデジタル機器を相互接続し、ユーザが各種コンテンツを高画質・高音質で楽しむ家庭内ネットワークが実現されつつある。例えば、２００２年１２月に仕様が策定されたＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）は、１本のケーブルで、映像、音声及び制御信号の伝送が可能な、次世代ＡＶ（Ａｕｄｉｏ  Ｖｉｓｕａｌ）機器向けのデジタル映像・音声入出力インターフェース規格である（例えば、非特許文献１を参照。）。【０００３】
ＨＤＭＩ規格は、制御信号を双方向に伝送させるためのプロトコルとしてＣＥＣ（Ｃｏｎｓｕｍｅｒ  Ｅｌｅｃｔｒｏｎｉｃｓ  Ｃｏｎｔｒｏｌ）を規定している。ＣＥＣプロトコルを用いれば、制御信号を機器間で中継させることにより、１台のリモコンから複数のＡＶ機器を制御することができる。つまり、ＴＶ（Ｔｅｌｅｖｉｓｉｏｎ）、ＡＶアンプ及びＤＶＤプレーヤ／レコーダ間で制御信号を双方向に伝送することにより、１つのリモコンで、ホームシアター全体を操作することも可能となる。【０００４】
ＨＤＭＩ規格では、デジタル伝送によって信号の劣化が発生しないだけでなく、ＤＶＤプレーヤ／レコーダなどの再生機器が、接続先の機器の再生能力情報を読み取って映像・音声データの出力形式を合わせたり、映像・音声データを暗号化して伝送することにより違法コピーを防止したりする特徴を持っている。【０００５】
再生能力情報は、ＴＶやＡＶアンプなどのＨＤＭＩ入力ポートを備えた機器（「ＨＤＭＩ入力機器」とする）から接続相手機器（「ＨＤＭＩ出力機器」とする）に、一方向データ接続であるＤＤＣ（Ｄｉｓｐｌａｙ  Ｄａｔａ  Ｃｈａｎｎｅｌ）バスを利用し、伝達される。「ＤＤＣ」とは、ディスプレイのプラグ＆プレイを実現するために、接続相手機器にディスプレイの機種情報などを伝える機能として定めたＶＥＳＡ（Ｖｉｄｅｏ  Ｅｌｅｃｔｒｏｎｉｃｓ  Ｓｔａｎｄａｒｄｓ  Ａｓｓｏｃｉａｔｉｏｎ）の規格である。ディスプレイの機種情報やサポートする画像・音声フォーマットなどがＥＤＩＤ（Ｅｎｈａｎｃｅｄ  Ｅｘｔｅｎｄｅｄ  Ｄｉｓｐｌａｙ  Ｉｄｅｎｔｉｆｉｃａｔｉｏｎ  Ｄａｔａ）としてＨＤＭＩ入力機器のメモリに格納される。ＥＤＩＤは、ＨＤＭＩ入力機器によるＨＰＤ（Ｈｏｔ  Ｐｌｕｇ  Ｄｅｔｅｃｔ  Ｓｉｇｎａｌ）のＬｏｗからＨｉｇｈへの切替（あるいはパルス）に応答して、ＤＤＣバス経由で、ＤＤＣバスに接続されたＨＤＭＩ出力機器から読み出される。ＨＰＤがＨｉｇｈであれば、ＨＤＭＩ出力機器は、ＨＤＭＩ入力機器のＥＤＩＤを読み出すことができ、ＨＤＭＩ入力機器であるＴＶやＡＶアンプは、ＥＤＩＤに記載した画像・音声フォーマットでの、デジタル映像・音声データの再生能力を備えるということを示唆することになる。【０００６】
一方、ＨＤＭＩ規格では、著作権保護が必要なコンテンツ出力を行う場合、接続相手機器が正当な機器であることを確認するための認証プロトコルであるＨＤＣＰ（Ｈｉｇｈ−ｂａｎｄｗｉｄｔｈ  Ｄｉｇｉｔａｌ  Ｃｏｎｔｅｎｔ  Ｐｒｏｔｅｃｔｉｏｎ  Ｓｙｓｔｅｍ）が採用されており、ＨＰＤのＬｏｗからＨｉｇｈへの切替（あるいはパルス）に応答して、認証を開始することが規定されている。【０００７】
再生機器が接続先の機器の再生能力情報を読み取ってデータ出力形式を合わせる機能は便利ではあるが、その一方で、再生機器につながったＨＤＭＩ出力先の機器間で、音声を出力する機器（スピーカ）が変更になるなどで、音声再生能力が変化した場合には、その都度、再生機器に対し、読み出させる再生能力情報を切り替え、適切な音声データを送出してもらわなくてはならないというデメリットを持つ。【０００８】
図１は、ＨＤＭＩ接続構成の例を示す図である。【０００９】
例えば、ＤＶＤレコーダ１０と、ＡＶアンプ２０と、ＴＶ３０とが接続されているものとする。【００１０】
ＤＶＤレコーダ１０は、１つのＨＤＭＩ出力ポート（１０ＰＯ＿１）を備え、ＡＶアンプ２０は、１つのＨＤＭＩ入力ポート（２０ＰＩ＿１）と、１つのＨＤＭＩ出力（２０ＰＯ＿１）ポートとを備え、ＴＶ３０は、１つのＨＤＭＩ入力ポート（３０ＰＩ＿１）を備える。【００１１】
ＤＶＤレコーダ１０、ＡＶアンプ２０、ＴＶ３０は、それぞれＨＤＭＩで接続され、映像・音声データは、（１０ＰＯ＿１）→（２０ＰＩ＿１）→（２０ＰＯ＿１）→（３０ＰＩ＿１）と一方向に伝送される。制御メッセージは、ＨＤＭＩの制御信号のバス上で、双方向に伝送される。ここで、音声の出力に関し、ＡＶアンプ２０は５．１チャンネルのＰＣＭ（Ｐｕｌｓｅ  Ｃｏｄｅ  Ｍｏｄｕｌａｔｉｏｎ）の出力が可能で、ＴＶ３０は２チャンネルのＰＣＭ出力のみに対応しているとし、ＤＶＤレコーダ１０は、５．１チャンネルのデジタルサラウンド対応のＤＶＤビデオコンテンツを再生するものとする。ここで、映像も音声もＴＶ３０から出力される状態を「テレビモード」と呼び、映像はＴＶ３０から、音声はＡＶアンプ２０から出力される状態を「シアターモード」と呼ぶ。テレビモードとシアターモードとの切替は、ユーザの機器操作をトリガとして、ＣＥＣプロトコルを用いて、ＴＶ３０からＡＶアンプ２０へ指示されるものとするが、本発明の主眼ではないため、詳細な説明は省略する。【００１２】
図２は、テレビモードでの音声出力の例を示す図である。【００１３】
ＴＶ３０は音声を２チャンネルＰＣＭでしか再生できないため、ＴＶ３０のＥＤＩＤ３０Ｃに記載される音声再生能力情報３０Ｃ１は、例えば、「オーディオタイプ＝ＰＣＭ、その最大チャネル数＝２」と設定される。ＥＤＩＤ３０Ｃには、その他、オーディオについては、サポートするサンプリング周波数や量子化ビット数などが、また、映像については、サポートするビデオフォーマットの種類などが再生能力情報として設定されるが、本発明の主眼ではないため、詳細な説明は省略する。ＴＶ３０がＡＶアンプ２０に出力するＨＰＤ信号３０Ｐは、Ｈｉｇｈに設定される。【００１４】
ここで、映像も音声もＴＶ３０で出力するテレビモードの場合には、ＡＶアンプ２０のＥＤＩＤ２０Ｃに記載される音声再生能力情報２０Ｃ１を、ＴＶ３０から読み出したＴＶ３０の音声再生能力情報３０Ｃ１に合わせ、「オーディオタイプ＝ＰＣＭ、その最大チャネル数＝２」と設定する。ＡＶアンプ２０は、５．１チャンネルなどでサラウンド再生する能力を備えているが、仮に音声再生能力情報２０Ｃ１に２チャンネル以上の設定を行った場合には、ＤＶＤレコーダ１０からマルチチャンネル音声が再生されると、２チャンネルＰＣＭしか再生できないＴＶ３０で、音声が正しく再生されないことになる。ＡＶアンプ２０がＤＶＤレコーダ１０に出力するＨＰＤ信号２０Ｐは、Ｈｉｇｈに設定される。【００１５】
ＤＶＤレコーダ１０は、ＡＶアンプ２０のＥＤＩＤ２０Ｃを読み出し、音声再生能力情報２０Ｃ１に基づき、ＴＶ３０で出力可能な２チャンネルＰＣＭで音声を送出することになる。【００１６】
図３は、ＨＤＭＩ接続での映像音声データ再生方法の従来例を示す図である。【００１７】
映像及び音声をＴＶ３０で出力しているテレビモードのとき、ＴＶ３０の音声再生能力情報３０Ｃ１、ＡＶアンプ２０の音声再生能力情報２０Ｃ１は、図２に示したものと同様である。【００１８】
ここで、音声をＡＶアンプ２０から出力するシアターモードに切り替える場合（３０Ｈ）、ＡＶアンプ２０の音声再生能力情報２０Ｃ１を、テレビモードの場合と同じままにすると、ＡＶアンプ２０からの音声出力も２チャンネルに制限されてしまう。そこで、ＡＶアンプ２０は、ＨＰＤ信号２０Ｐを一旦Ｌｏｗに切り替え（２０Ｐ＿Ｌ）、５．１チャンネルの再生が可能であることを示す音声再生能力情報２０Ｃ２（例えば、「オーディオタイプ＝ＰＣＭ、その最大チャンネル＝６」）を設定し、ＨＰＤ信号２０Ｐを再度Ｈｉｇｈに切り替える（２０Ｐ＿Ｈ）。【００１９】
ＨＰＤ信号２０ＰをＬｏｗ（２０Ｐ＿Ｌ）からＨｉｇｈ（２０Ｐ＿Ｈ）に切り替えると、ＤＶＤレコーダ１０は、ＨＤＣＰに準拠し、ＨＤＭＩ接続状況に変化が発生した可能性があると判断し、接続相手機器が正当な機器か否かを確認するために、再度、認証を開始する。認証開始の際には、映像・音声データの出力を停止し、もう一度ＡＶアンプ２０のＥＤＩＤ２０Ｃを読み出し、コンテンツ保護の必要のない映像信号（例えば、ブラックアウトなど）を伝送しながら、ＡＶアンプ２０が正当な機器か否かを確認する。そして、ＤＶＤレコーダ１０は、ＡＶアンプ２０が正当な機器であると確認できた時点で、再度、映像・音声データの出力を開始し、音声については、ＡＶアンプ２０の音声再生能力情報２０Ｃ２で示された、再生可能な音声再生フォーマットにて出力を開始する。ＨＤＣＰの認証については、本発明の主眼ではないので、詳細な説明は省略する。【００２０】
次に、ＨＤＭＩ接続構成が異なる別の例について、以下に説明する。【００２１】
図４は、ＨＤＭＩ接続構成の別の例を示す図である。【００２２】
例えば、ＤＶＤレコーダ１０と、ＡＶアンプ２１と、ＴＶ３１とが接続されているものとする。【００２３】
ＡＶアンプ２１は、１つのＨＤＭＩ出力（２１ＰＯ＿１）ポートと、１つの光デジタル音声入力（２１ＰＩ＿１）とを備え、ＴＶ３１は、２つのＨＤＭＩ入力ポート（３１ＰＩ＿１、３１ＰＩ＿２）と、１つの光デジタル音声出力（３１ＰＯ＿１）とを備える。【００２４】
図１の接続構成と異なる点は、ＤＶＤレコーダ１０が、ＡＶアンプ２１ではなく、ＴＶ３１のＨＤＭＩ入力ポート（３１ＰＩ＿１）に接続されている点と、ＴＶ３１とＡＶアンプ２１とが光音声デジタルケーブルによって接続されている点である。【００２５】
映像・音声データは、（１０ＰＯ＿１）→（３１ＰＩ＿１）と一方向に伝送される。また、音声データは、さらに（３１ＰＯ＿１）→（２１ＰＩ＿１）に伝送される。制御メッセージは、ＨＤＭＩの制御信号のバス上で、双方向に伝送される。ここで、音声の出力に関し、ＡＶアンプ２１は５．１チャンネルの圧縮音声（例えば、Ｄｏｌｂｙ  Ｄｉｇｉｔａｌ（登録商標）方式）の出力が可能で、ＴＶ３１は２チャンネルのＰＣＭ出力のみに対応しているとする。【００２６】
図５は、テレビモードでの音声出力の例を示す図である。【００２７】
ＴＶ３１は音声を２チャンネルＰＣＭでしか再生できないため、ＴＶ３１のＥＤＩＤ３１Ｃに記載される音声再生能力情報３１Ｃ１は、例えば、「オーディオタイプ＝ＰＣＭ、その最大チャネル数＝２」と設定される。ＴＶ３１がＤＶＤレコーダ１０に出力するＨＰＤ信号３１Ｐは、Ｈｉｇｈに設定される。【００２８】
ＤＶＤレコーダ１０は、ＴＶ３１のＥＤＩＤ３１Ｃを読み出し、音声再生能力情報３１Ｃ１に基づき、ＴＶ３１で出力可能な２チャンネルＰＣＭで音声を送出することになる。【００２９】
図６は、ＨＤＭＩ接続での映像音声データ再生方法の従来例を示す図である。【００３０】
映像及び音声をＴＶ３１で出力しているテレビモードのとき、ＴＶ３１の音声再生能力情報３１Ｃ１は、図５に示したものと同様である。【００３１】
ここで、音声をＡＶアンプ２１から出力するシアターモードに切り替える場合（３１Ｈ）、ＴＶ３１の音声再生能力情報を３１Ｃ１のままとすると、ＤＶＤレコーダ１０が出力する音声は、２チャンネルＰＣＭのままであるため、ＡＶアンプ２１からの音声出力も２チャンネルに制限されてしまう。【００３２】
そこで、ＴＶ３１は、ＨＰＤ信号３１Ｐを一旦Ｌｏｗに切り替え（３１Ｐ＿Ｌ）、５．１チャンネルの再生が可能であることを示す音声再生能力情報３１Ｃ２（例えば、「オーディオタイプ＝Ｄｏｌｂｙ  Ｄｉｇｉｔａｌ、その最大チャンネル＝６」）を設定し、ＨＰＤ信号３１Ｐを再度Ｈｉｇｈに切り替える（３１Ｐ＿Ｈ）。【００３３】
ＨＰＤ信号３１ＰをＬｏｗ（３１Ｐ＿Ｌ）からＨｉｇｈ（３１Ｐ＿Ｈ）に切り替えると、図３の例と同様に、ＤＶＤレコーダ１０は、ＨＤＣＰに準拠し、ＨＤＭＩ接続状況に変化が発生した可能性があると判断し、接続相手機器が正当な機器か否かを確認するために、再度、認証を開始する。認証開始の際には、ＤＶＤレコーダ１０は、映像・音声データの出力を停止し、もう一度ＴＶ３１のＥＤＩＤ３１Ｃを読み出し、コンテンツ保護の必要のない映像信号（例えば、ブラックアウトなど）を伝送しながら、ＴＶ３１が正当な機器か否かを確認する。そして、ＤＶＤレコーダ１０は、ＴＶ３１が正当な機器であると確認できた時点で、再度、映像・音声データの出力を開始し、音声については、ＴＶ３１の音声再生能力情報３１Ｃ２で示された、再生可能な音声再生フォーマットにて出力を開始する。
【非特許文献１】Ｈｉｇｈ−Ｄｅｆｉｎｉｔｉｏｎ  Ｍｕｌｔｉｍｅｄｉａ  Ｉｎｔｅｒｆａｃｅ  Ｓｐｅｃｉｆｉｃａｔｉｏｎ  Ｖｅｒｓｉｏｎ  １．３
【発明の開示】
【発明が解決しようとする課題】
【００３４】
しかしながら、従来の映像音声データ再生方法では、出力音声切替時に、映像・音声データ（コンテンツ）の出力を停止し、ＨＤＣＰの認証を実施すると、再度映像・音声データを出力するまでに、数秒、コンテンツ視聴ができない期間が発生してしまうという課題を有する。【００３５】
本発明は、上述の課題を解決するためになされたものであり、出力音声切替時に、出力相手機器の再認証が必要となるために発生していた映像・音声データのとぎれを低減できる映像音声出力機器、音声出力機器、映像音声再生機器、映像音声データ再生システム及び映像音声データ再生方法を提供することを目的とする。
【課題を解決するための手段】
【００３６】
上述の目的を達成するために、本発明に係る映像音声データ再生システムは、ネットワークを介して接続された、映像データ及び音声データを再生する映像音声再生機器と、前記映像音声再生機器で再生された前記音声データを出力することが可能な音声出力機器、前記映像音声再生機器で再生された前記映像データおよび前記音声データを出力することが可能な映像音声出力機器とを備える映像音声データ再生システムであって、前記ネットワークにおいて、（ｉ）前記映像データ及び前記音声データは、任意の２つのデータ送信機器とデータ受信機器間で一方向に送信され、（ｉｉ）制御メッセージは全ての機器間で双方向に送信され、かつ、（ｉｉｉ）データ受信機器側からデータ送信機器側へ、前記データ受信機器の音声再生能力情報の一方向伝送が可能になると、前記映像データ及び前記音声データの送受信のための機器の接続が有効になり、前記映像音声出力機器は、前記音声出力機器に対して当該音声出力機器の音声再生能力情報を問い合わせ、取得する音声出力機器の音声再生能力問い合わせ部と、前記音声出力機器の音声再生能力情報と、当該音声再生能力を利用するか否かを設定する情報とを、前記制御メッセージに含めて、前記映像音声再生機器に対して送信する映像音声出力機器側制御メッセージ送信部を備え、前記映像音声出力機器側制御メッセージ送信部は、さらに、一方向伝送を用いた前記音声再生能力情報を切り替えるか否かを設定する情報を、前記制御メッセージに含めて、前記音声出力機器に対して送信し、前記音声出力機器は、前記音声出力機器の音声再生能力情報と、一方向伝送を用いた前記音声再生能力情報を切り替えるか否かを示す情報とを、前記制御メッセージに含めて、前記映像音声出力機器に対して送信する音声出力機器側制御メッセージ送信部と、前記映像音声出力機器から、一方向伝送を用いた前記音声再生能力情報を切り替えるか否かを設定する情報を含む前記制御メッセージを受信する音声出力機器側制御メッセージ受信部とを備え、前記映像音声再生機器は、前記映像音声出力機器から、前記音声出力機器の音声再生能力情報と、当該音声再生能力を利用するか否かを設定する情報とを含む前記制御メッセージを受信する映像音声再生機器側制御メッセージ受信部と、前記映像データ及び前記音声データを再生する再生部とを備え、前記ネットワークにおいて、前記映像データ及び前記音声データが前記映像音声再生機器から前記音声出力機器に一方向に送信されるように、かつ、前記映像データ及び前記音声データが前記音声出力機器から前記映像音声出力機器に一方向に送信されるように、前記映像音声再生機器、前記音声出力機器及び前記映像音声出力機器が接続される場合には、前記音声出力機器側制御メッセージ受信部が、前記映像音声出力機器側制御メッセージ送信部が送信した、一方向伝送を用いた前記音声再生能力情報を切り替えない旨を示す前記制御メッセージを受信する場合には、前記音声出力機器は前記映像音声再生機器に対して一方向伝送を用いた前記音声再生能力情報の再伝送を禁止し、前記ネットワークにおいて、前記映像データ及び前記音声データが前記映像音声再生機器から前記映像音声出力機器に一方向に送信されるように、前記映像音声再生機器及び前記映像音声出力機器が接続され、かつ、前記ネットワークとは異なるネットワークを通じて前記音声データが前記映像音声出力機器から前記音声出力機器に出力されるように、前記映像音声出力機器及び前記音声出力機器が接続される場合には、前記映像音声出力機器側制御メッセージ送信部は、前記制御メッセージを送信する場合には、前記映像音声出力機器は前記映像音声再生機器に対して一方向伝送を用いた前記音声再生能力情報の再伝送を禁止し、前記再生部は、前記映像音声再生機器側制御メッセージ受信部が、音声再生能力を利用する旨を示す前記制御メッセージを受信する場合には、前記音声出力機器からの一方向伝送により受信した音声再生能力情報に従わずに、前記映像音声出力機器から受信した前記制御メッセージに含まれる前記音声再生能力情報に従って、前記音声データを再生することを特徴とする。【００３７】
制御メッセージにより音声再生能力が映像音声再生機器に送信される。このため、一方向伝送で読み出される音声再生能力とは無関係に、映像音声再生機器が再生する音声のフォーマットを切り替えることができる。【００３８】
また、制御メッセージに含まれる設定情報により、音声出力機器が音声再生能力を切り替えないよう指定することにより、音声出力機器は、映像音声再生機器に音声再生能力を読み取らせる必要がなくなる。これにより、音声再生能力の変更に伴って認証が必要となるために発生していた映像の停止（途切れ）を回避することができる。
【発明の効果】
【００３９】
本発明によると、従来発生していた映像・音声データのとぎれを低減できる、映像音声出力機器、音声出力機器、映像音声再生機器、映像音声データ再生システム及び映像音声データ再生方法を提供することができる。
【図面の簡単な説明】
【００４０】
【図１】図１は、ＨＤＭＩ接続構成の例を示す図である。
【図２】図２は、テレビモードでの音声出力の例を示す図である。
【図３】図３は、ＨＤＭＩ接続での映像音声データ再生方法の従来例を示す図である。
【図４】図４は、ＨＤＭＩ接続構成の別の例を示す図である。
【図５】図５は、テレビモードでの音声出力の別の例を示す図である。
【図６】図６は、ＨＤＭＩ接続での映像音声データ再生方法の別の従来例を示す図である。
【図７】図７は、本発明の第１の実施の形態に係るＨＤＭＩ接続での映像音声データ再生方法の例を示す図である。
【図８】図８は、映像音声データ再生システムの外観図である。
【図９】図９は、本発明の第１の実施の形態に係る映像音声再生機器の構成を示す図である。
【図１０】図１０は、本発明の第１の実施の形態に係る音声出力機器の構成を示す図である。
【図１１】図１１は、本発明の第１の実施の形態に係る映像音声出力機器の構成を示す図である。
【図１２】図１２は、本発明の第２の実施の形態に係るＨＤＭＩ接続での映像音声データ再生方法の例を示す図である。
【図１３】図１３は、本発明の第２の実施の形態に係る音声出力機器の構成を示す図である。
【図１４】図１４は、本発明の第２の実施の形態に係る映像音声出力機器の構成を示す図である。
【符号の説明】
【００４１】
１０  ＤＶＤレコーダ
２０、２１  ＡＶアンプ
３０、３１  ＴＶ
２０Ｐ、３０Ｐ、２０Ｐ＿Ｌ、２０Ｐ＿Ｈ、３１Ｐ  ＨＰＤ信号
２０Ｃ１、３０Ｃ１、２０Ｃ２  音声再生能力情報
【発明を実施するための最良の形態】
【００４２】
以下、本発明に係る映像音声データ再生方法の実施の形態について、図面を参照しながら詳細に説明する。【００４３】
（第１の実施の形態）
本発明の第１の実施の形態における映像音声データ再生方法では、制御メッセージによる指示・通知により、映像音声再生機器が出力できる音声フォーマットを指定する。そして、映像音声再生機器につながったＨＤＭＩ出力先の機器間で、音声出力機器が変更になるなどにより、音声再生能力が変化した場合にも、音声出力機器は、映像音声再生機器に対し、読み出させるデータ再生能力情報を切り替えない。したがって、音声出力機器は映像音声再生機器に対し、ＨＰＤ信号をＬｏｗからＨｉｇｈへ切り替える（パルスする）必要がなくなり、そのため映像音声再生機器はＨＤＣＰ認証を再度実施する必要がない。このため、音声出力機器は、映像音声再生機器に対し、映像の途切れなく、適切な音声データの送出に切り替えてもらうことができる。【００４４】
図７は、本発明の第１の実施の形態に係るＨＤＭＩ接続での映像音声データ再生方法の例を示す図である。【００４５】
ＨＤＭＩ接続構成は、図１と同様である。ＤＶＤレコーダ１０、ＡＶアンプ２０、ＴＶ３０、ＥＤＩＤ２０Ｃ、３０Ｃ、ＨＰＤ信号２０Ｐ、３０Ｐは、図２、図３と同様である。また、映像をＴＶ３０で、音声をＡＶアンプ２０で出力しているシアターモードのとき、ＴＶ３０の音声再生能力情報３０Ｃ１、ＡＶアンプ２０の音声再生能力情報２０Ｃ２は、図３と同様である。【００４６】
図８は、図１に示したＨＤＭＩ接続構成を有する映像音声データ再生システムの外観図である。映像音声データ再生システムは、ＤＶＤレコーダ１０と、ＡＶアンプ２０と、ＴＶ３０とを備えている。【００４７】
ここで、音声をＴＶ３０から出力するテレビモードに切り替える場合（３０Ｖ）、ＴＶ３０から音声を正しく再生するためには、ＤＶＤレコーダ１０に、２チャンネルＰＣＭでの音声出力に切り替えてもらわなくてはならない。【００４８】
本発明の映像音声データ再生方法では、まず、ＴＶ３０は、ＡＶアンプ２０に、音声再生能力の切替設定指示（３０Ｍ１）を行う。この指示は、例えば、ＣＥＣメッセージの＜Ｖｅｎｄｏｒ  Ｃｏｍｍａｎｄ＞コマンドを用いて伝送され、テレビモード（音声出力がＴＶ３０で、２チャンネルＰＣＭ出力が可能）／シアターモード（音声出力がＡＶアンプ２０で、ＡＶアンプ２０の再生能力で音声出力が可能）の切替によって、ＡＶアンプ２０のＥＤＩＤの設定内容を変更するか／変更しないかが指定される。ここで、例えば、ＥＤＩＤの再生能力を変更する場合を「切替モード」、変更しない場合を「固定モード」とし、本実施の形態では、固定モードが指定されることになる。【００４９】
ＡＶアンプ２０は、ＴＶ３０から、音声再生能力の切替設定指示（３０Ｍ１）を受け取ると、ＴＶ３０に、音声再生能力の切替設定通知（２０Ｍ２）を行う。この通知は、例えば、ＣＥＣメッセージの＜Ｖｅｎｄｏｒ  Ｃｏｍｍａｎｄ＞コマンドを用いて伝送され、ＡＶアンプ２０での切替設定モードの有効状態（固定モード／切替モードのいずれの設定か）と、ＡＶアンプ２０の音声再生能力が記載される。音声再生能力とは、例えば、サポートするオーディオタイプ（ＰＣＭ，ＤＴＳ（Ｄｉｇｉｔａｌ  Ｔｈｅａｔｅｒ  Ｓｙｓｔｅｍｓ）など）や、最大チャンネル数、サンプリング周波数・量子化ビット数などで構成されるものとする。ここで、本実施の形態では、ＡＶアンプ２０で、ＴＶ３０からの指示を許諾し、固定モードが設定されたものとする。ＡＶアンプ２０からＴＶ３０に対して、「固定モード設定、音声再生能力は例えばオーディオタイプ＝ＰＣＭ、最大チャンネル数＝６」などの情報が通知されることになる。【００５０】
ここで、ＴＶ３０から、ＡＶアンプ２０に対し、テレビモードへの切替を指示（３０Ｖ）し、ＡＶアンプ２０は、音声出力をミュートすることになる。シアターモードからテレビモードへの切替及びその動作については、本発明の主眼ではないため、詳細な説明を省略する。【００５１】
シアターモードからテレビモードへの切替が実施されたとき、ＡＶアンプ２０は、ＥＤＩＤの再生能力２０Ｃを変更しないモード（固定モード）の設定状態にあるため、ＨＰＤ信号２０Ｐをパルスする必要がない。したがって、ＤＶＤレコーダ１０は、ＡＶアンプ２０に対し、正当な機器か否かを確認するために、ＨＤＣＰ認証を開始する必要がなく、そのままコンテンツ出力を継続することができる。【００５２】
ＴＶ３０は、ＤＶＤレコーダ１０に、出力音声フォーマットの指示（３０Ｍ３）を行う。この指示は、例えば、ＣＥＣメッセージの＜Ｖｅｎｄｏｒ  Ｃｏｍｍａｎｄ＞コマンドを用いて伝送され、ＡＶアンプ２０の再生能力を利用するか否かを示すモード指定と、ＡＶアンプ２０の音声再生能力とが記載される。ここで記載されるＡＶアンプ２０の音声再生能力は、前記音声再生能力の切替設定通知（２０Ｍ２）にて、ＡＶアンプ２０からＴＶ３０に通知されたものと同じ構成・内容である。ＡＶアンプ２０の再生能力を利用するか否かを示すモード設定は、ＡＶアンプ２０の再生能力を利用する場合をシアターモード、利用しない場合にはテレビモードとし、本実施の形態では、テレビモードが指定されることになる。【００５３】
ＤＶＤレコーダ１０は、ＴＶ３０から出力音声フォーマットの指示（３０Ｍ３）を受け取ると、ＴＶ３０に、出力音声フォーマット設定通知（１０Ｍ４）を行う。この通知は、例えば、ＣＥＣメッセージの＜Ｖｅｎｄｏｒ  Ｃｏｍｍａｎｄ＞コマンドを用いて伝送され、ＤＶＤレコーダ１０でのモードの有効状態（テレビモード／シアターモードのいずれの設定か）が記載される。ここで、本実施の形態では、ＤＶＤレコーダ１０で、ＴＶ３０からの指示を許諾し、テレビモードが設定されたものとする。ＤＶＤレコーダ１０からＴＶ３０に、テレビモード設定が通知され、ＤＶＤレコーダ１０は、予めテレビモードの時の音声フォーマットとして決定している２チャンネルのＰＣＭ音声を出力する。【００５４】
したがって、ＤＶＤレコーダ１０は、ＡＶアンプ２０のＥＤＩＤ２０Ｃの音声再生能力情報２０Ｃ２の記載とは無関係に、最適な出力音声フォーマットに合わせることができる。【００５５】
本発明の第１の実施の形態に係る映像音声データ再生方法を実現する各装置の構成について、図面を参照しながら詳細に説明する。【００５６】
図９は、本発明の第１の実施の形態に係る映像音声再生機器の構成を示す図であり、映像音声再生機器としてはＤＶＤレコーダ１０が該当する。【００５７】
ＤＶＤレコーダ１０は、ＨＤＭＩ＿ＯＵＴ部１０１と、ＨＰＤ切替検出部１０２と、ＥＤＩＤ情報取得部１０３と、認証／暗号部１０４と、ＣＥＣ機器連携部１０５と、デコード部１０６と、ＴＭＤＳ（Ｔｒａｎｓｉｔｉｏｎ−Ｍｉｎｉｍｉｚｅｄ  Ｄｉｆｆｅｒｅｎｔｉａｌ  Ｓｉｇｎａｌｉｎｇ：遷移時間最短差動信号伝送方式）エンコード部１０７と、ＴＭＤＳ出力部１０８とを備える。【００５８】
ＨＤＭＩ＿ＯＵＴ部１０１は、ＨＤＭＩ出力ポートであり、本実施の形態では、ＡＶアンプ２０とＨＤＭＩ接続され、映像音声データの送信や制御メッセージの双方向通信を行う。ＨＤＭＩ＿ＯＵＴ部１０１は、ＨＰＤ信号１０１＿１、ＤＤＣ信号１０１＿２、ＴＭＤＳ信号１０１＿３及びＣＥＣ信号１０１＿４の伝送に使用される。ここで、ＨＤＭＩ＿ＯＵＴ部１０１は、ＨＤＭＩに限定されず、例えば、有線・無線を問わず、同等の機能を提供する、適応した通信方式に応じたインターフェースを設けてもよい。【００５９】
ＨＰＤ切替検出部１０２は、ＨＤＭＩ＿ＯＵＴ部１０１から入力されるＨＰＤ信号１０１＿１の、ＨｉｇｈからＬｏｗ、ＬｏｗからＨｉｇｈへの切替を検出し、ＥＤＩＤ情報取得部１０３に通知する。【００６０】
ＥＤＩＤ情報取得部１０３は、ＨＰＤ信号のＬｏｗからＨｉｇｈへの切替検出通知を受けると、ＤＤＣ信号１０１＿２を使用し、ＡＶアンプ２０のＥＤＩＤを読み出す。ＥＤＩＤには、ＡＶアンプ２０が設定した、映像・音声のサポート可能なフォーマットが記載されている。ＥＤＩＤ情報取得部１０３は、この映像・音声の再生能力情報を、デコード部１０６に入力する。また、ＡＶアンプ２０のＥＤＩＤには、ＡＶアンプ２０がＨＤＭＩ機器であることも記載されており、ＥＤＩＤ情報取得部１０３は、認証／暗号部１０４に、ＨＤＭＩ機器に対するＨＤＣＰ認証を適用し、認証を開始するよう指示する。また、ＥＤＩＤ情報取得部１０３は、ＨＰＤ信号のＨｉｇｈからＬｏｗへの切替検出通知を受けると、認証／暗号部１０４に、ＨＤＣＰ認証を停止するよう指示する。【００６１】
認証／暗号部１０４は、ＥＤＩＤ情報取得部１０３からの認証開始指示を受けると、ＡＶアンプ２０がＨＤＣＰに正規に対応した機器であるかどうかを確認するために、ＡＶアンプ２０との間で、ＤＤＣ信号１０１＿２を使用し、ＨＤＣＰの認証プロトコルを実施する。認証時にはＴＭＤＳ出力が必要なため、認証／暗号部１０４は、ＴＭＤＳ出力部１０８に、著作権保護が不要なコンテンツをＴＭＤＳエンコードしたデータを出力する。ここで、著作権保護が不要なコンテンツデータとは、ブラックアウト映像などを示す。認証が成功すれば、認証／暗号部１０４は、ＴＭＤＳエンコード部１０７に対して、出力するコンテンツをＴＭＤＳ伝送用データにエンコードし、認証／暗号部１０４に出力するよう指示し、かつ、成功した認証情報を用いて、そのＴＭＤＳ伝送用データを暗号化し、ＴＭＤＳ出力部１０８へ出力する。認証が失敗すれば、著作権保護が必要なコンテンツは出力できないため、認証／暗号部１０４は、ＴＭＤＳエンコード部１０７に対して、コンテンツのＴＭＤＳエンコードと認証／暗号部１０４への出力の停止とを指示する。【００６２】
ＣＥＣ機器連携部１０５は、ＣＥＣ信号１０１＿４を用い、ＣＥＣメッセージのやり取りを行う。ここで、ＣＥＣ通信及びＣＥＣメッセージの詳細についての説明は、本発明の主眼ではないため、省略する。ＣＥＣ機器連携部１０５は、出力音声設定部１０５＿１を有し、出力音声設定部１０５＿１は、出力音声フォーマットを指示するＣＥＣメッセージ（３０Ｍ３）を受信し、出力音声フォーマット設定を通知するＣＥＣメッセージ（１０Ｍ４）を送信する。ここで、出力音声フォーマットを指定するＣＥＣメッセージ（３０Ｍ３）で、シアターモードと設定されていた場合には、ＣＥＣメッセージ（３０Ｍ３）に記載されているＡＶアンプ２０の音声再生能力を音声再生能力情報として、デコード部１０６に出力する。一方、ＣＥＣメッセージ（３０Ｍ３）でテレビモードと設定されていた場合には、予め出力音声設定部１０５＿１で決定している２チャンネルの音声再生能力を音声再生能力情報として、デコード部１０６に出力する。【００６３】
デコード部１０６は、映像に関しては、ＥＤＩＤ情報取得部１０３から入力された映像再生能力情報に基づき、映像ストリームをデコードする。デコード部１０６は、音声に関しては、ＥＤＩＤ情報取得部１０３から、又は、出力音声設定部１０５＿１から入力された音声再生能力情報のうち、最新の再生能力情報に基づき、音声ストリームをデコードする。デコード部１０６は、デコードされた映像・音声データを、ＴＭＤＳエンコード部１０７に出力する。【００６４】
ＴＭＤＳエンコード部１０７は、前記認証／暗号部１０４から指示があれば、デコード部１０６から入力される映像・音声出力データを、ＴＭＤＳ伝送用データにエンコードし、前記認証／暗号部１０４に出力する。【００６５】
ＴＭＤＳ出力部１０８は、前記認証／暗号部１０４から入力される、暗号化されたＴＭＤＳ伝送用データ、又は、暗号化されていないＴＭＤＳ伝送用データを、ＨＤＭＩ＿ＯＵＴ部１０１のＴＭＤＳ１０１＿３ラインを用いて、出力する。【００６６】
図１０は、本発明の第１の実施の形態に係る音声出力機器の構成を示す図であり、音声出力機器としてはＡＶアンプ２０が該当する。【００６７】
ＡＶアンプ２０は、ＨＤＭＩ＿ＯＵＴ部２０１と、ＨＰＤ切替検出部２０２と、ＥＤＩＤ情報取得部２０３と、認証／暗号部２０４と、ＣＥＣ機器連携部２０５と、ＴＭＤＳ出力部２０６と、ＨＤＭＩ＿ＩＮ部２０７と、ＥＤＩＤ設定部２０８と、ＥＤＩＤ２０９と、ＨＰＤ制御部２１０と、ＴＭＤＳ入力部２１１と、認証／復号部２１２と、ＴＭＤＳデコード部２１３と、音声出力部２１４とを備える。【００６８】
ＨＤＭＩ＿ＯＵＴ部２０１は、ＨＤＭＩ出力ポートであり、本実施の形態では、ＴＶ３０とＨＤＭＩ接続され、映像音声データの送信や制御メッセージの双方向通信を行う。ＨＤＭＩ＿ＯＵＴ部２０１は、ＨＰＤ信号２０１＿１、ＤＤＣ信号２０１＿２、ＴＭＤＳ信号２０１＿３及びＣＥＣ信号２０１＿４の信号の伝送に使用される。ここで、ＨＤＭＩ＿ＯＵＴ部２０１は、ＨＤＭＩに限定されず、例えば、有線・無線問わず、同等の機能を提供する、適応した通信方式に応じたインターフェースを設けてもよい。【００６９】
ＨＰＤ切替検出部２０２は、ＨＤＭＩ＿ＯＵＴ部２０１から入力されるＨＰＤ信号２０１＿１の、ＨｉｇｈからＬｏｗ、ＬｏｗからＨｉｇｈへの切替を検出し、ＥＤＩＤ情報取得部２０３に通知する。【００７０】
ＥＤＩＤ情報取得部２０３は、ＨＰＤ信号のＬｏｗからＨｉｇｈへの切替検出通知を受けると、ＤＤＣ信号２０１＿２を使用し、ＴＶ３０のＥＤＩＤを読み出す。ＥＤＩＤには、ＴＶ３０が設定した、映像・音声のサポート可能なフォーマットが記載されている。ＥＤＩＤ情報取得部２０３は、この映像・音声の再生能力情報を、ＥＤＩＤ設定部２０８に入力する。また、ＴＶ３０のＥＤＩＤには、ＴＶ３０がＨＤＭＩ機器であることも記載されており、ＥＤＩＤ情報取得部２０３は、認証／暗号部２０４に、ＨＤＭＩ機器に対するＨＤＣＰ認証を適用するよう指定する。ここで、ＥＤＩＤ情報取得部２０３は、認証開始時には、ＨＤＭＩ機器に対する認証を行うよう指定するだけであり、認証の開始は指示しない。ＥＤＩＤ情報取得部２０３は、ＨＰＤ信号のＨｉｇｈからＬｏｗへの切替検出通知を受けると、認証／暗号部２０４に、ＨＤＣＰ認証を停止するよう指示する。【００７１】
認証／暗号部２０４は、認証／復号部２１２からの認証開始指示を受けると、ＴＶ３０がＨＤＣＰに正規に対応した機器であるかどうかを確認するために、ＴＶ３０との間で、ＤＤＣ信号２０１＿２を使用し、ＨＤＣＰの認証プロトコルを実施する。認証時にはＴＭＤＳ出力が必要なため、認証／暗号部２０４は、ＴＭＤＳ出力部２０６に、著作権保護が不要なコンテンツをＴＭＤＳエンコードしたデータを出力する。ここで、著作権保護が不要なコンテンツデータとは、ブラックアウト映像などを示す。認証が成功すれば、認証／暗号部２０４は、認証／復号部２１２に対してＴＭＤＳ伝送用データの出力を指示し、成功した認証情報を用いて、入力したＴＭＤＳ伝送用データを暗号化し、ＴＭＤＳ出力部２０６へ出力する。認証が失敗すれば、著作権保護が必要なコンテンツは出力できないため、認証／暗号部２０４は、認証／復号部２１２に、ＴＭＤＳ伝送用データの出力停止を指示する。【００７２】
ＣＥＣ機器連携部２０５は、ＣＥＣ信号２０１＿４及び２０７＿４を用い、ＣＥＣメッセージのやり取りを行う。ここで、ＣＥＣ通信及びＣＥＣメッセージの詳細についての説明は、本発明の主眼ではないため、省略する。ＣＥＣ機器連携部２０５は、ＴＶ３０とのＣＥＣ通信により、テレビモード／シアターモードの設定切替を認識し、その設定情報をＥＤＩＤ設定部２０８と認証／復号部２１２に通知する。ＣＥＣ機器連携部２０５は、再生能力設定部２０５＿１を有し、再生能力設定部２０５＿１は、ＴＶ３０から音声再生能力切替設定を指示するＣＥＣメッセージ（３０Ｍ１）を受信し、ＴＶ３０に音声再生能力の切替設定を通知するＣＥＣメッセージ（２０Ｍ２）を送信する。再生能力設定部２０５＿１は、音声再生能力切替設定を指定するＣＥＣメッセージ（３０Ｍ１）の切替モード／固定モード情報を、ＥＤＩＤ設定部２０８に入力する。【００７３】
ＴＭＤＳ出力部２０６は、前記認証／暗号部２０４から入力される、暗号化されたＴＭＤＳ伝送用データ、又は、暗号化していないＴＭＤＳ伝送用データを、ＨＤＭＩ＿ＯＵＴ部２０１のＴＭＤＳ２０１＿３ラインを用いて、出力する。【００７４】
ＨＤＭＩ＿ＩＮ部２０７は、ＨＤＭＩ入力ポートであり、本実施の形態では、ＤＶＤレコーダ１０とＨＤＭＩ接続され、映像音声データの受信や制御メッセージの双方向通信を行う。ＨＤＭＩ＿ＩＮ部２０７は、ＨＰＤ信号２０７＿１、ＤＤＣ信号２０７＿２、ＴＭＤＳ信号２０７＿３及びＣＥＣ信号２０７＿４の伝送に使用される。ここで、ＨＤＭＩ＿ＩＮ部２０７は、ＨＤＭＩに限定されず、例えば、有線・無線問わず、同等の機能を提供する、適応した通信方式に応じたインターフェースを設けてもよい。【００７５】
ＥＤＩＤ設定部２０８は、ＥＤＩＤ情報取得部２０３から映像音声再生能力情報が入力された場合に、ＣＥＣ機器連携部２０５から入力されているテレビモード／シアターモードの設定情報に基づき、ＥＤＩＤ２０９の記載内容を決定し、必要があれば変更する。ここで、例えば、ＥＤＩＤ情報取得部２０３から映像音声再生能力情報が入力された場合には、ＥＤＩＤ２０９の音声再生能力情報は、テレビモードの場合にはＴＶ３０の音声再生能力と同じ２チャンネルＰＣＭと設定され、シアターモードの場合には自機器の音声再生能力である６チャンネルＰＣＭと設定される。また、同様に、再生能力設定部２０５＿１から切替モードの指定がされていた場合に、ＣＥＣ機器連携部２０５からテレビモード／シアターモードの設定情報が入力されると、入力されたテレビモード／シアターモードの設定情報に基づき、ＥＤＩＤ２１０の記載内容を決定し、必要があれば変更する。ここで、再生能力設定部２０５＿１から固定モードの指定がされていた場合には、ＣＥＣ機器連携部２０５からテレビモード／シアターモードの設定情報が入力されても、ＥＤＩＤ２１０の記載内容を変更しない。ＥＤＩＤ設定部２０８は、ＥＤＩＤ情報取得部２０３から映像音声再生能力情報が入力された場合と、ＥＤＩＤ２０９の記載内容を変更した場合に、ＨＰＤ制御部２１０にＨＰＤパルス指示を行う。【００７６】
ＥＤＩＤ２０９には、ＥＤＩＤ設定部２０８の入力に基づき、映像音声再生能力情報が設定される。【００７７】
ＨＰＤ制御部２１０は、ＥＤＩＤ設定部２０８からＨＰＤパルス指示があった場合には、ＨＰＤ信号２０７＿１を一旦１００ｍｓ以上Ｌｏｗに引き下げ、再度Ｈｉｇｈに引き上げる。【００７８】
ＴＭＤＳ入力部２１１は、ＴＭＤＳデータを、ＨＤＭＩ＿ＩＮ部２０７のＴＭＤＳ信号２０７＿３を用いて入力し、認証／復号部２１２に出力する。【００７９】
認証／復号部２１２は、ＡＶアンプ２０がＨＤＣＰに正規に対応した機器であるかどうかを確認するために、ＤＶＤレコーダ１０が、ＤＤＣ信号２０７＿２を使用し、開始させる認証プロトコルに応答する。認証が開始された場合には、認証／復号部２１２は、認証／暗号部２０４に、ＴＶ３０とのＨＤＣＰ認証を開始するよう指示する。認証応答時にはＴＭＤＳ入力が必要なため、認証／復号部２１２は、ＴＭＤＳ入力部２１１から、著作権保護が不要な、暗号化されていないＴＭＤＳ伝送用データを入力される。また、認証が成功すれば、ＴＭＤＳ入力部２１１から、成功した認証情報を用いて暗号化されたＴＭＤＳ伝送用データが入力される。認証／復号部２１２は、暗号化されたＴＭＤＳ伝送用データを復号することにより、暗号化されていないＴＭＤＳ伝送用データを出力する。ここで、認証／復号部２１２は、復号したＴＭＤＳ伝送用データを、ＣＥＣ機器連携部２０５から入力されているテレビモード／シアターモードの設定情報に基づき、シアターモードの場合にはＴＭＤＳデコード部２１３へ出力し、テレビモードの場合には認証／暗号部２０４に入力の指示があれば、出力する。【００８０】
ＴＭＤＳデコード部２１３は、ＴＭＤＳ伝送用データをＴＭＤＳデコードし、音声ストリームを、音声出力部２１４に出力する。【００８１】
音声出力部２１４は、スピーカ部であり、音声を出力する。【００８２】
図１１は、本発明の第１の実施の形態に係る映像音声出力機器の構成を示す図であり、映像音声出力機器としては、ＴＶ３０が該当する。【００８３】
ＴＶ３０は、ＨＤＭＩ＿ＩＮ部３０１と、ＥＤＩＤ設定部３０２と、ＥＤＩＤ３０３と、ＨＰＤ制御部３０４と、ＴＭＤＳ入力部３０５と、認証／復号部３０６と、ＣＥＣ機器連携部３０７と、ＴＭＤＳデコード部３０８と、映像出力部３０９と、音声出力部３１０とを備える。【００８４】
ＨＤＭＩ＿ＩＮ部３０１は、ＨＤＭＩ入力ポートであり、本実施の形態では、ＡＶアンプ２０とＨＤＭＩ接続され、映像音声データの受信や制御メッセージの双方向通信を行う。ＨＤＭＩ＿ＩＮ部３０１は、ＨＰＤ信号３０１＿１、ＤＤＣ信号３０１＿２、ＴＭＤＳ信号３０１＿３及びＣＥＣ信号３０１＿４の伝送に使用される。ここで、ＨＤＭＩ＿ＩＮ部３０１は、ＨＤＭＩに限定されず、例えば、有線・無線問わず、同等の機能を提供する、適応した通信方式に応じたインターフェースを設けてもよい。【００８５】
ＥＤＩＤ設定部３０２は、電源投入時など、ＥＤＩＤ３０３の記載内容を決定し、設定する。ここで、例えば、音声再生能力は２チャンネルＰＣＭであることを設定する。ＥＤＩＤ３０３の記載内容を設定した場合には、ＨＰＤ制御部３０４にＨＰＤをＨｉｇｈに引き上げることを指示する。【００８６】
ＥＤＩＤ３０３には、ＥＤＩＤ設定部３０２の入力に基づき、映像音声再生能力情報が設定される。【００８７】
ＨＰＤ制御部３０４は、ＥＤＩＤ設定部３０２からＨＰＤ信号のＨｉｇｈへの引き上げ指示があった場合には、ＨＰＤ信号３０１＿１をＨｉｇｈに引き上げる。【００８８】
ＴＭＤＳ入力部３０５は、ＴＭＤＳデータを、ＨＤＭＩ＿ＩＮ部３０１のＴＭＤＳ３０１＿３信号ラインを用いて入力し、認証／復号部３０６に出力する。【００８９】
認証／復号部３０６は、ＴＶ３０がＨＤＣＰに正規に対応した機器であるかどうかを確認するために、ＡＶアンプ２０がＤＤＣ信号３０１＿２を使用して開始させる認証プロトコルに応答する。認証応答時にはＴＭＤＳ入力が必要なため、認証／復号部３０６は、ＴＭＤＳ入力部３０５から、著作権保護が不要な、暗号化されていないＴＭＤＳ伝送用データを入力される。また、認証が成功すれば、ＴＭＤＳ入力部３０５から、成功した認証情報を用いて暗号化されたＴＭＤＳ伝送用データが入力される。認証／復号部３０６は、暗号化されたＴＭＤＳ伝送用データを復号し、暗号化されていないＴＭＤＳ伝送用データをＴＭＤＳデコード部３０８へ出力する。【００９０】
ＣＥＣ機器連携部３０７は、ＣＥＣ信号３０１＿４を用い、ＣＥＣメッセージのやり取りを行う。ここで、ＣＥＣ通信及びＣＥＣメッセージに詳細についての説明は、本発明の主眼ではないため、省略する。ＣＥＣ機器連携部３０７は、ＤＶＤレコーダ１０やＡＶアンプ２０とのＣＥＣ通信により、テレビモード／シアターモードの設定切替を実行する。ＣＥＣ機器連携部３０７は、再生能力設定部３０７＿１を有し、再生能力設定部３０７＿１は、ＡＶアンプ２０に音声再生能力切替設定を指定するＣＥＣメッセージ（３０Ｍ１）を送信し、ＡＶアンプ２０から音声再生能力の切替設定を通知するＣＥＣメッセージ（２０Ｍ２）を受信する。また、再生能力設定部３０７＿１は、ＤＶＤレコーダ１０に出力音声フォーマットを指定するＣＥＣメッセージ（３０Ｍ３）を送信し、ＤＶＤレコーダ１０から出力音声フォーマット設定を通知するメッセージ（１０Ｍ４）を受信する。【００９１】
ＴＭＤＳデコード部３０８は、ＴＭＤＳ伝送用データをＴＭＤＳデコードし、映像ストリームを映像出力部３０９に、音声ストリームを音声出力部３１０に出力する。【００９２】
映像出力部３０９は、ディスプレイ部であり、映像を出力する。【００９３】
音声出力部３１０は、スピーカ部であり、音声を出力する。【００９４】
以上により、本実施の形態における映像音声データ再生方法は、制御メッセージによるコマンド通知で、音声再生機器が出力できる音声フォーマットを指定することにより、映像音声再生機器は、任意のタイミングにて、コンテンツ伝送を停止することなく、出力音声を、最適な出力音声フォーマットに合わせることができる。【００９５】
また、制御メッセージによるコマンド通知で、音声出力機器が再生能力情報を切り替えないよう指定することにより、音声出力機器は、映像音声再生機器に音声再生能力情報を読み取らせる必要がなくなり、それに伴うコンテンツ伝送の停止の発生がなくなるため、映像の途切れなく、適切な音声データの送出に切り替えてもらうことができる。【００９６】
（第２の実施の形態）
本発明の第２の実施の形態における映像音声データ再生方法も、第１の実施の形態と同様に、制御メッセージによる指示・通知により、映像音声再生機器が出力できる音声フォーマットを指定する。映像音声再生機器につながったＨＤＭＩ出力先の機器間で、音声出力機器が変更になるなどの原因により、音声再生能力が変化した場合にも、映像音声出力機器は、映像音声再生機器に対して読み出させるデータ再生能力情報を切り替えない。したがって、映像音声出力機器は映像音声再生機器に対し、ＨＰＤ信号をＬｏｗからＨｉｇｈへ切り替える（パルスする）必要がなくなり、そのため映像音声再生機器はＨＤＣＰ認証を再度実施する必要がない。このため、映像音声再生装置に映像の途切れなく、適切な音声データの送出に切り替えてもらうことができる。【００９７】
図１２は、本発明の第２の実施の形態に係るＨＤＭＩ接続での映像音声データ再生方法の例を示す。ＨＤＭＩ接続構成は、図４と同様である。ＤＶＤレコーダ１０、ＡＶアンプ２１、ＴＶ３１、ＥＤＩＤ３１Ｃ、ＨＰＤ信号３１Ｐは、図５、図６と同様である。また、映像をＴＶ３１で、音声をＡＶアンプ２１で出力しているシアターモードのとき、ＴＶ３１の音声再生能力情報３１Ｃ１は図５と同様である。【００９８】
ここで、音声をＴＶ３１から出力するテレビモードから、音声をＡＶアンプ２１から出力するシアターモードに切り替える場合（３１Ｖ）、ＡＶアンプ２１から５．１チャンネルのサラウンド音声を再生するためには、ＤＶＤレコーダ１０に、５．１チャンネルサラウンド音声での音声出力に切り替えてもらわなくてはならない。【００９９】
本発明の映像音声データ再生方法では、まず、ＴＶ３１は、ＡＶアンプ２１の音声再生能力の取得要求（３１Ｍ１）を行う。この要求は、例えば、ＣＥＣメッセージの＜Ｖｅｎｄｏｒ  Ｃｏｍｍａｎｄ＞コマンドを用いて伝送される。【０１００】
ＡＶアンプ２１は、ＴＶ３１から、音声再生能力の取得要求（３１Ｍ１）を受け取ると、ＴＶ３１に、音声再生能力の通知（２１Ｍ２）を行う。この通知は、例えば、ＣＥＣメッセージの＜Ｖｅｎｄｏｒ  Ｃｏｍｍａｎｄ＞コマンドを用いて伝送され、ＡＶアンプ２１の音声再生能力が記載される。記載される音声再生能力は、第１の実施の形態と同様であり、本実施の形態では、ＡＶアンプ２１からＴＶ３１に、音声再生能力として、例えば「オーディオタイプ＝Ｄｏｌｂｙ  Ｄｉｇｉｔａｌ、最大チャンネル数＝６」などと通知されることになる。【０１０１】
ここで、ＴＶ３１から、ＡＶアンプ２１に対し、シアターモードへの切替を指示（３１Ｖ）し、ＡＶアンプ２１は、音声出力を開始することになる。テレビモードからシアターモードへの切替及びその動作については、本発明の主眼ではないため、詳細な説明を省略する。【０１０２】
テレビモードからシアターモードへの切替が実施されたときも、ＴＶ３１は、ＨＰＤ信号３１Ｐをパルスする必要がない。したがって、ＤＶＤレコーダ１０は、ＴＶ３１に対し、正当な機器か否かを確認するために、ＨＤＣＰ認証を開始する必要がなく、そのままコンテンツ出力を継続することができる。【０１０３】
ＴＶ３１は、ＤＶＤレコーダ１０に、出力音声フォーマットの指示（３０Ｍ３）を行う。この指示は、例えば、ＣＥＣメッセージの＜Ｖｅｎｄｏｒ  Ｃｏｍｍａｎｄ＞コマンドを用いて伝送され、ＡＶアンプ２１の再生能力を利用するか否かを示すモード指定と、ＡＶアンプ２１の音声再生能力とが記載される。ここで記載されるＡＶアンプ２１の音声再生能力は、前記音声再生能力の通知（２１Ｍ２）にて、ＡＶアンプ２１からＴＶ３１に通知されたものと同じ構成・内容である。ＡＶアンプ２１の再生能力を利用するか否かを示すモード設定は、第１の実施の形態と同様に、ＡＶアンプ２１の再生能力を利用する場合をシアターモード、利用しない場合にはテレビモードとする。【０１０４】
ＤＶＤレコーダ１０は、ＴＶ３１から出力音声フォーマットの指示（３０Ｍ３）を受け取ると、ＴＶ３１に、出力音声フォーマット設定通知（１０Ｍ４）を行う。この通知は、例えば、ＣＥＣメッセージの＜Ｖｅｎｄｏｒ  Ｃｏｍｍａｎｄ＞コマンドを用いて伝送され、ＤＶＤレコーダ１０でのモードの有効状態（テレビモード／シアターモードのいずれの設定か）が記載される。ここで、本実施の形態では、ＤＶＤレコーダ１０で、ＴＶ３１からの指示を許諾しテレビモードが設定されたものとする。ＤＶＤレコーダ１０からＴＶ３１に、テレビモード設定が通知され、ＤＶＤレコーダ１０は、予めテレビモードの時の音声フォーマットとして決定している２チャンネルのＰＣＭ音声を出力する。同様に、ＤＶＤレコーダ１０で、ＴＶ３１からの指示を許諾しシアターモードが設定された場合には、ＤＶＤレコーダ１０からＴＶ３１に、シアターモード設定が通知される。ＤＶＤレコーダ１０は、出力音声フォーマットの指示（３０Ｍ３）に含まれる音声再生能力の中から、適切なものを選択し、出力音声の音声フォーマットとして使用する。例えば、再生中のＤＶＤに記録されている音声データの音声フォーマットが５．１チャンネルのＤｏｌｂｙ  Ｄｉｇｉｔａｌで、かつ出力音声フォーマットの指示（３０Ｍ３）に含まれる音声再生能力の中に５．１チャンネルのＤｏｌｂｙ  Ｄｉｇｉｔａｌが含まれている場合には、出力音声の音声フォーマットとして５．１チャンネルのＤｏｌｂｙ  Ｄｉｇｉｔａｌを使用する。【０１０５】
したがって、ＤＶＤレコーダ１０は、ＴＶ３１のＥＤＩＤ３１Ｃの音声再生能力情報３１Ｃ２の記載とは無関係に、最適な出力音声フォーマットに合わせることができる。【０１０６】
本発明の第２の実施の形態に係る映像音声データ再生方法を実現する各装置の構成について、図面を参照しながら詳細に説明する。【０１０７】
図１３は、本発明の第２の実施の形態に係る音声出力機器の構成を示す図であり、音声出力機器としてＡＶアンプ２１が該当する。図１０と同じ番号を付した処理部は、第１の実施の形態と同様の動作を行う。【０１０８】
ＡＶアンプ２１は、図１０に示すＡＶアンプ２０の構成に加えて、光デジタル音声ＩＮ部２１６を備え、また音声出力部２１４の代わりに、音声出力部２１５を備える。【０１０９】
光デジタル音声ＩＮ部２１６は、光デジタル音声入力ポートであり、本実施の形態では、ＴＶ３１と光デジタル音声ケーブルで接続され、ＴＶ３１より音声データの受信を行う。【０１１０】
音声出力部２１５は、スピーカ部であり、ＴＭＤＳデコード部２１３又は光デジタル音声ＩＮ部２１６から受信した音声を出力する。【０１１１】
図１４は、本発明の第２の実施の形態に係る映像音声出力機器の構成を示す図であり、映像音声出力機器としてＴＶ３１が該当する。図１１と同じ番号を付した処理部は、第１の実施の形態と同様の動作を行う。【０１１２】
ＴＶ３１は、図１１に示すＴＶ３０の構成に加えて、光デジタル音声ＯＵＴ部３１１を備える。【０１１３】
光デジタル音声ＯＵＴ部３１１は、光デジタル音声出力ポートであり、本実施の形態では、ＡＶアンプ２１と光デジタル音声ケーブルで接続され、ＴＭＤＳデコード部３０８から出力される音声データの送信を行う。【０１１４】
以上により、本実施の形態における映像音声データ再生方法は、制御メッセージによるコマンド通知で、音声再生機器が出力できる音声フォーマットを指定することにより、映像音声再生機器は、任意のタイミングにて、コンテンツ伝送を停止することなく、出力音声を、最適な出力音声フォーマットに合わせることができる。【０１１５】
また、映像音声出力機器が再生能力情報を切り替えないことにより、映像音声出力機器は、映像音声再生機器に音声再生能力情報を読み取らせる必要がなくなり、それに伴うコンテンツ伝送の停止の発生がなくなる。このため、映像音声再生機器に、映像の途切れなく、適切な音声データの送出に切り替えてもらうことができる。【０１１６】
なお、ＴＶ３１は、ＤＶＤレコーダ１０に、出力音声フォーマットの指示（３０Ｍ３）を行う際に、ＡＶアンプ２１の音声再生能力ではなく、所定の音声再生能力を送信してもよい。この場合、ＴＶ３１は、音声再生能力の取得要求（３１Ｍ１）をＡＶアンプ２１に送信しなくてもよい。又は、ＴＶ３１はＡＶアンプ２１の音声再生能力を取得できなかった場合に、所定の音声再生能力を送信してもよい。いずれの場合も、ＴＶ３１はＡＶアンプ２１の音声再生能力の一部、又は全部をあらかじめ知っている必要がある。【０１１７】
なお、第１の実施の形態では、シアターモードからテレビモードへの切り替えについて説明したが、テレビモードからシアターモードへの切り替えも同様に行なうことができる。また、第２の実施の形態では、テレビモードからシアターモードへの切り替えについて説明したが、シアターモードからテレビモードへの切り替えも同様に行なうことができる。【０１１８】
今回開示された実施の形態はすべての点で例示であって制限的なものではないと考えられるべきである。本発明の範囲は上記した説明ではなくて請求の範囲によって示され、請求の範囲と均等の意味及び範囲内でのすべての変更が含まれることが意図される。
【産業上の利用可能性】
【０１１９】
本発明は、ＤＶＤレコーダなどの映像音声再生機器からの映像音声データ再生方法に適用でき、特に、機器が一方向データ接続により接続され、通信機器間でメッセージが双方向にやり取りされるホームエンターテイメント・ネットワーク等のネットワークに接続される機器での映像音声データ再生方法として適用できる。
【図１】
2008072695.tif 000003
【図２】
2008072695.tif 000004
【図３】
2008072695.tif 000005
【図４】
2008072695.tif 000006
【図５】
2008072695.tif 000007
【図６】
2008072695.tif 000008
【図７】
2008072695.tif 000009
【図８】
2008072695.tif 000010
【図９】
2008072695.tif 000011
【図１０】
2008072695.tif 000012
【図１１】
2008072695.tif 000013
【図１２】
2008072695.tif 000014
【図１３】
2008072695.tif 000015
【図１４】
2008072695.tif 000016
【手続補正書】
【提出日】平成20年4月29日(2008.4.29)
【手続補正１】
【補正対象書類名】特許請求の範囲
【補正対象項目名】全文
【補正方法】変更
【補正の内容】
【特許請求の範囲】
【請求項１】
映像データ及び音声データを再生する映像音声再生機器と、前記映像音声再生機器で再生された前記音声データを出力することが可能な音声出力機器とにネットワークを介して接続され、前記映像音声再生機器で再生された前記映像データおよび前記音声データを出力することが可能な映像音声出力機器であって、
前記ネットワークにおいて、（ｉ）前記映像データ及び前記音声データは、任意の２つのデータ送信機器とデータ受信機器間で一方向に送信され、（ｉｉ）制御メッセージは全ての機器間で双方向に送信され、かつ、（ｉｉｉ）データ受信機器側からデータ送信機器側へ、前記データ受信機器の音声再生能力情報の一方向伝送が可能になると、前記映像データ及び前記音声データの送受信のための機器の接続が有効になり、
前記映像音声出力機器は、
前記音声出力機器に対して当該音声出力機器の音声再生能力情報を問い合わせ、取得する音声出力機器の音声再生能力問い合わせ部と、
前記音声出力機器の音声再生能力情報と、当該音声再生能力を利用するか否かを設定する情報とを、前記制御メッセージに含めて、前記映像音声再生機器に対して、送信する制御メッセージ送信部とを備え、
前記ネットワークにおいて、前記映像データ及び前記音声データが前記映像音声再生機器から前記映像音声出力機器に一方向に送信されるように、前記映像音声再生機器及び前記映像音声出力機器が接続され、かつ、前記ネットワークとは異なるネットワークを通じて前記音声データが前記映像音声出力機器から前記音声出力機器に出力されるように、前記映像音声出力機器および前記音声出力機器が接続される場合には、
前記制御メッセージ送信部は、前記制御メッセージを送信する場合には、前記映像音声再生機器に対して一方向伝送を用いた前記音声再生能力情報の再伝送を禁止する
ことを特徴とする映像音声出力機器。
【請求項２】
前記ネットワークにおいて、前記映像データ及び前記音声データが前記映像音声再生機器から前記音声出力機器に一方向に送信されるように、かつ、前記映像データ及び前記音声データが前記音声出力機器から前記映像音声出力機器に一方向に送信されるように、前記映像音声再生機器、前記音声出力機器及び前記映像音声出力機器が接続される場合には、
前記制御メッセージ送信部は、さらに、前記音声出力機器が前記映像音声再生機器に対して一方向伝送を用いた前記音声再生能力情報を切り替えるか否かを設定する情報を、前記制御メッセージに含めて、前記音声出力機器に対して送信する
ことを特徴とする請求項１記載の映像音声出力機器。
【請求項３】
映像データ及び音声データを再生する映像音声再生機器と、前記映像音声再生機器で再生された前記映像データ及び前記音声データを出力することが可能な映像音声出力機器とにネットワークを介して接続され、前記映像音声再生機器で再生された前記音声データを出力可能な音声出力機器であって、
前記ネットワークにおいて、（ｉ）前記映像データ及び前記音声データは、任意の２つのデータ送信機器とデータ受信機器間で一方向に送信され、（ｉｉ）制御メッセージは全ての機器間で双方向に送信され、かつ、（ｉｉｉ）データ受信機器側からデータ送信機器側へ、前記データ受信機器の音声再生能力情報の一方向伝送が可能になると、前記映像データ及び前記音声データの送受信のための機器の接続が有効になり、
前記音声出力機器は、
前記音声出力機器の音声再生能力情報と、一方向伝送を用いた前記音声再生能力情報を切り替えるか否かを示す情報とを、前記制御メッセージに含めて、前記映像音声出力機器に対して送信する制御メッセージ送信部と、
前記映像音声出力機器から、一方向伝送を用いた前記音声再生能力情報を切り替えるか否かを設定する情報を含む前記制御メッセージを受信する制御メッセージ受信部とを備え、
前記ネットワークにおいて、前記映像データ及び前記音声データが前記映像音声再生機器から前記音声出力機器に一方向に送信されるように、かつ、前記映像データ及び前記音声データが前記音声出力機器から前記映像音声出力機器に一方向に送信されるように、前記映像音声再生機器、前記音声出力機器及び前記映像音声出力機器が接続される場合には、
前記制御メッセージ受信部は、前記映像音声出力機器が送信した、一方向伝送を用いた前記音声再生能力情報を切り替えない旨を示す前記制御メッセージを受信する場合には、前記映像音声再生機器に対して一方向伝送を用いた前記音声再生能力情報の再伝送を禁止する
ことを特徴とする音声出力機器。
【請求項４】
映像音声再生機器で再生された映像データ及び音声データを出力することが可能な映像音声出力機器と、前記映像音声再生機器で再生された前記音声データを出力することが可能な音声出力機器とにネットワークを介して接続され、前記映像データ及び前記音声データを再生する映像音声再生機器であって、
前記ネットワークにおいて、（ｉ）前記映像データ及び前記音声データは、任意の２つのデータ送信機器とデータ受信機器間で一方向に送信され、（ｉｉ）制御メッセージは全ての機器間で双方向に送信され、かつ、（ｉｉｉ）データ受信機器側からデータ送信機器側へ、前記データ受信機器の音声再生能力情報の一方向伝送が可能になると、前記映像データ及び前記音声データの送受信のための機器の接続が有効になり、
前記映像音声再生機器は、
前記映像音声出力機器から、前記音声出力機器の音声再生能力情報と、当該音声再生能力を利用するか否かを設定する情報とを含む前記制御メッセージを受信する制御メッセージ受信部と、
前記映像データ及び前記音声データを再生する再生部とを備え、
前記再生部は、前記制御メッセージ受信部が、当該音声再生能力を利用する旨を示す前記制御メッセージを受信する場合には、前記音声出力機器からの一方向伝送により受信した音声再生能力情報に従わずに、前記映像音声出力機器から受信した前記制御メッセージに含まれる前記音声再生能力情報に従って、前記音声データを再生する
ことを特徴とする映像音声再生機器。
【請求項５】
ネットワークを介して接続された、映像データ及び音声データを再生する映像音声再生機器と、前記映像音声再生機器で再生された前記音声データを出力することが可能な音声出力機器、前記映像音声再生機器で再生された前記映像データおよび前記音声データを出力することが可能な映像音声出力機器とを備える映像音声データ再生システムであって、
前記ネットワークにおいて、（ｉ）前記映像データ及び前記音声データは、任意の２つのデータ送信機器とデータ受信機器間で一方向に送信され、（ｉｉ）制御メッセージは全ての機器間で双方向に送信され、かつ、（ｉｉｉ）データ受信機器側からデータ送信機器側へ、前記データ受信機器の音声再生能力情報の一方向伝送が可能になると、前記映像データ及び前記音声データの送受信のための機器の接続が有効になり、
前記映像音声出力機器は、
前記音声出力機器に対して当該音声出力機器の音声再生能力情報を問い合わせ、取得する音声出力機器の音声再生能力問い合わせ部と、
前記音声出力機器の音声再生能力情報と、当該音声再生能力を利用するか否かを設定する情報とを、前記制御メッセージに含めて、前記映像音声再生機器に対して送信する映像音声出力機器側制御メッセージ送信部とを備え、
前記映像音声出力機器側制御メッセージ送信部は、さらに、一方向伝送を用いた前記音声再生能力情報を切り替えるか否かを設定する情報を、前記制御メッセージに含めて、前記音声出力機器に対して送信し、
前記音声出力機器は、
前記音声出力機器の音声再生能力情報と、一方向伝送を用いた前記音声再生能力情報を切り替えるか否かを示す情報とを、前記制御メッセージに含めて、前記映像音声出力機器に対して送信する音声出力機器側制御メッセージ送信部と、
前記映像音声出力機器から、一方向伝送を用いた前記音声再生能力情報を切り替えるか否かを設定する情報を含む前記制御メッセージを受信する音声出力機器側制御メッセージ受信部とを備え、
前記映像音声再生機器は、
前記映像音声出力機器から、前記音声出力機器の音声再生能力情報と、当該音声再生能力を利用するか否かを設定する情報とを含む前記制御メッセージを受信する映像音声再生機器側制御メッセージ受信部と、
前記映像データ及び前記音声データを再生する再生部とを備え、
前記ネットワークにおいて、前記映像データ及び前記音声データが前記映像音声再生機器から前記音声出力機器に一方向に送信されるように、かつ、前記映像データ及び前記音声データが前記音声出力機器から前記映像音声出力機器に一方向に送信されるように、前記映像音声再生機器、前記音声出力機器及び前記映像音声出力機器が接続される場合には、
前記音声出力機器側制御メッセージ受信部が、前記映像音声出力機器側制御メッセージ送信部が送信した、一方向伝送を用いた前記音声再生能力情報を切り替えない旨を示す前記制御メッセージを受信する場合には、前記音声出力機器は前記映像音声再生機器に対して一方向伝送を用いた前記音声再生能力情報の再伝送を禁止し、
前記ネットワークにおいて、前記映像データ及び前記音声データが前記映像音声再生機器から前記映像音声出力機器に一方向に送信されるように、前記映像音声再生機器及び前記映像音声出力機器が接続され、かつ、前記ネットワークとは異なるネットワークを通じて前記音声データが前記映像音声出力機器から前記音声出力機器に出力されるように、前記映像音声出力機器及び前記音声出力機器が接続される場合には、
前記映像音声出力機器側制御メッセージ送信部は、前記制御メッセージを送信する場合には、前記映像音声出力機器は前記映像音声再生機器に対して一方向伝送を用いた前記音声再生能力情報の再伝送を禁止し、
前記再生部は、前記映像音声再生機器側制御メッセージ受信部が、音声再生能力を利用する旨を示す前記制御メッセージを受信する場合には、前記音声出力機器からの一方向伝送により受信した音声再生能力情報に従わずに、前記映像音声出力機器から受信した前記制御メッセージに含まれる前記音声再生能力情報に従って、前記音声データを再生する
ことを特徴とする映像音声データ再生システム。
【請求項６】
ネットワークを介して接続された、映像データ及び音声データを再生する映像音声再生機器と、前記映像音声再生機器で再生された前記音声データを出力することが可能な音声出力機器と、前記映像音声再生機器で再生された前記映像データ及び前記音声データを出力することが可能な映像音声出力機器とを備える映像音声データ再生システムにおける映像音声データ再生方法であって、
前記ネットワークにおいて、（ｉ）前記映像データ及び前記音声データは、任意の２つのデータ送信機器とデータ受信機器間で一方向に送信され、（ｉｉ）制御メッセージは全ての機器間で双方向に送信され、かつ、（ｉｉｉ）データ受信機器側からデータ送信機器側へ、前記データ受信機器の音声再生能力情報の一方向伝送が可能になると、前記映像データ及び前記音声データの送受信のための機器の接続が有効になり、
前記映像音声データ再生方法は、
前記映像音声出力機器が、前記音声出力機器に対して当該音声出力機器の音声再生能力情報を問い合わせ、取得するステップと、
前記映像音声出力機器が、前記映像音声再生機器に対して、前記音声出力機器の音声再生能力情報と、当該音声再生能力を利用するか否かを設定する情報とを、前記制御メッセージに含めて送信するステップと、
前記映像音声出力機器が、さらに、前記音声出力機器に対して、一方向伝送を用いた前記音声再生能力情報を切り替えるか否かを設定する情報を、前記制御メッセージに含めて送信するステップとを含み、
前記ネットワークにおいて、前記映像データおよび前記音声データが前記映像音声再生機器から前記音声出力機器に一方向に送信されるように、かつ、前記映像データ及び前記音声データが前記音声出力機器から前記映像音声出力機器に一方向に送信されるように、前記映像音声再生機器、前記音声出力機器及び前記映像音声出力機器が接続される場合には、
前記映像音声データ再生方法は、さらに、前記音声出力機器が、前記映像音声出力機器側制御メッセージ送信部が送信した、一方向伝送を用いた前記音声再生能力情報を切り替えない旨を示す前記制御メッセージを受信する場合には、前記映像音声再生機器に対して一方向伝送を用いた前記音声再生能力情報の再伝送を禁止するステップを含み、
前記ネットワークにおいて、前記映像データ及び音声データが前記映像音声再生機器から前記映像音声出力機器に一方向に送信されるように、前記映像音声再生機器及び前記映像音声出力機器が接続され、かつ、前記ネットワークとは異なるネットワークを通じて前記音声データが前記映像音声出力機器から前記音声出力機器に出力されるように、前記映像音声出力機器および前記音声出力機器が接続される場合には、
前記映像音声データ再生方法は、前記映像音声出力機器が、前記制御メッセージを送信する場合には、前記映像音声再生機器に対して一方向伝送を用いた前記音声再生能力情報の再伝送を禁止するステップと、
前記映像音声再生機器が、当該音声再生能力を利用する旨を示す前記制御メッセージを受信する場合には、前記映像音声出力機器から受信した前記制御メッセージに含まれる前記音声再生能力情報に従って、前記音声データを再生するステップとを含む
ことを特徴とする映像音声データ再生方法。
【手続補正書】
【提出日】平成20年6月13日(2008.6.13)
【手続補正１】
【補正対象書類名】特許請求の範囲
【補正対象項目名】全文
【補正方法】変更
【補正の内容】
【特許請求の範囲】
【請求項１】
映像データ及び音声データを再生する映像音声再生機器と、前記映像音声再生機器で再生された前記音声データを出力することが可能な音声出力機器とにネットワークを介して接続され、前記映像音声再生機器で再生された前記映像データおよび前記音声データを出力することが可能な映像音声出力機器であって、
前記ネットワークにおいて、（ｉ）前記映像データ及び前記音声データは、任意の２つのデータ送信機器とデータ受信機器間で一方向に送信され、（ｉｉ）制御メッセージは全ての機器間で双方向に送信され、かつ、（ｉｉｉ）データ受信機器側からデータ送信機器側へ、前記データ受信機器の音声再生能力情報の一方向伝送が可能になると、前記映像データ及び前記音声データの送受信のための機器の接続が有効になり、
前記映像音声出力機器は、
前記音声出力機器に対して当該音声出力機器の音声再生能力情報を問い合わせ、取得する音声出力機器の音声再生能力問い合わせ部と、
前記音声出力機器の音声再生能力情報と、当該音声再生能力を利用するか否かを設定する情報とを、前記制御メッセージに含めて、前記映像音声再生機器に対して、送信する制御メッセージ送信部とを備え、
前記ネットワークにおいて、前記映像データ及び前記音声データが前記映像音声再生機器から前記映像音声出力機器に一方向に送信されるように、前記映像音声再生機器及び前記映像音声出力機器が接続され、かつ、前記ネットワークとは異なるネットワークを通じて前記音声データが前記映像音声出力機器から前記音声出力機器に出力されるように、前記映像音声出力機器および前記音声出力機器が接続される場合には、
前記制御メッセージ送信部は、前記制御メッセージを送信する場合には、前記映像音声再生機器に対して一方向伝送を用いた前記音声再生能力情報の再伝送を禁止する
ことを特徴とする映像音声出力機器。
【請求項２】
前記ネットワークにおいて、前記映像データ及び前記音声データが前記映像音声再生機器から前記音声出力機器に一方向に送信されるように、かつ、前記映像データ及び前記音声データが前記音声出力機器から前記映像音声出力機器に一方向に送信されるように、前記映像音声再生機器、前記音声出力機器及び前記映像音声出力機器が接続される場合には
、
前記制御メッセージ送信部は、さらに、前記音声出力機器が前記映像音声再生機器に対して一方向伝送を用いた前記音声再生能力情報を切り替えるか否かを設定する情報を、前記制御メッセージに含めて、前記音声出力機器に対して送信する
ことを特徴とする請求項１記載の映像音声出力機器。
【請求項３】
映像データ及び音声データを再生する映像音声再生機器と、前記映像音声再生機器で再生された前記映像データ及び前記音声データを出力することが可能な映像音声出力機器とにネットワークを介して接続され、前記映像音声再生機器で再生された前記音声データを出力可能な音声出力機器であって、
前記ネットワークにおいて、（ｉ）前記映像データ及び前記音声データは、任意の２つのデータ送信機器とデータ受信機器間で一方向に送信され、（ｉｉ）制御メッセージは全ての機器間で双方向に送信され、かつ、（ｉｉｉ）データ受信機器側からデータ送信機器側へ、前記データ受信機器の音声再生能力情報の一方向伝送が可能になると、前記映像データ及び前記音声データの送受信のための機器の接続が有効になり、
前記音声出力機器は、
前記音声出力機器の音声再生能力情報と、一方向伝送を用いた前記音声再生能力情報を切り替えるか否かを示す情報とを、前記制御メッセージに含めて、前記映像音声出力機器に対して送信する制御メッセージ送信部と、
前記映像音声出力機器から、一方向伝送を用いた前記音声再生能力情報を切り替えるか否かを設定する情報を含む前記制御メッセージを受信する制御メッセージ受信部とを備え、
前記ネットワークにおいて、前記映像データ及び前記音声データが前記映像音声再生機器から前記音声出力機器に一方向に送信されるように、かつ、前記映像データ及び前記音声データが前記音声出力機器から前記映像音声出力機器に一方向に送信されるように、前記映像音声再生機器、前記音声出力機器及び前記映像音声出力機器が接続される場合には、
前記制御メッセージ受信部は、前記映像音声出力機器が送信した、一方向伝送を用いた前記音声再生能力情報を切り替えない旨を示す前記制御メッセージを受信する場合には、前記映像音声再生機器に対して一方向伝送を用いた前記音声再生能力情報の再伝送を禁止する
ことを特徴とする音声出力機器。
【請求項４】
映像音声再生機器で再生された映像データ及び音声データを出力することが可能な映像音声出力機器と、前記映像音声再生機器で再生された前記音声データを出力することが可能な音声出力機器とにネットワークを介して接続され、前記映像データ及び前記音声データを再生する映像音声再生機器であって、
前記ネットワークにおいて、（ｉ）前記映像データ及び前記音声データは、任意の２つのデータ送信機器とデータ受信機器間で一方向に送信され、（ｉｉ）制御メッセージは全ての機器間で双方向に送信され、かつ、（ｉｉｉ）データ受信機器側からデータ送信機器側へ、前記データ受信機器の音声再生能力情報の一方向伝送が可能になると、前記映像データ及び前記音声データの送受信のための機器の接続が有効になり、
前記映像音声再生機器は、
前記映像音声出力機器から、前記音声出力機器の音声再生能力情報と、当該音声再生能力を利用するか否かを設定する情報とを含む前記制御メッセージを受信する制御メッセージ受信部と、
前記映像データ及び前記音声データを再生する再生部とを備え、
前記再生部は、前記制御メッセージ受信部が、当該音声再生能力を利用する旨を示す前記制御メッセージを受信する場合には、前記音声出力機器からの一方向伝送により受信した音声再生能力情報に従わずに、前記映像音声出力機器から受信した前記制御メッセージ
に含まれる前記音声再生能力情報に従って、前記音声データを再生する
ことを特徴とする映像音声再生機器。
【請求項５】
ネットワークを介して接続された、映像データ及び音声データを再生する映像音声再生機器と、前記映像音声再生機器で再生された前記音声データを出力することが可能な音声出力機器、前記映像音声再生機器で再生された前記映像データおよび前記音声データを出力することが可能な映像音声出力機器とを備える映像音声データ再生システムであって、
前記ネットワークにおいて、（ｉ）前記映像データ及び前記音声データは、任意の２つのデータ送信機器とデータ受信機器間で一方向に送信され、（ｉｉ）制御メッセージは全ての機器間で双方向に送信され、かつ、（ｉｉｉ）データ受信機器側からデータ送信機器側へ、前記データ受信機器の音声再生能力情報の一方向伝送が可能になると、前記映像データ及び前記音声データの送受信のための機器の接続が有効になり、
前記映像音声出力機器は、
前記音声出力機器に対して当該音声出力機器の音声再生能力情報を問い合わせ、取得する音声出力機器の音声再生能力問い合わせ部と、
前記音声出力機器の音声再生能力情報と、当該音声再生能力を利用するか否かを設定する情報とを、前記制御メッセージに含めて、前記映像音声再生機器に対して送信する映像音声出力機器側制御メッセージ送信部とを備え、
前記映像音声出力機器側制御メッセージ送信部は、さらに、一方向伝送を用いた前記音声再生能力情報を切り替えるか否かを設定する情報を、前記制御メッセージに含めて、前記音声出力機器に対して送信し、
前記音声出力機器は、
前記音声出力機器の音声再生能力情報と、一方向伝送を用いた前記音声再生能力情報を切り替えるか否かを示す情報とを、前記制御メッセージに含めて、前記映像音声出力機器に対して送信する音声出力機器側制御メッセージ送信部と、
前記映像音声出力機器から、一方向伝送を用いた前記音声再生能力情報を切り替えるか否かを設定する情報を含む前記制御メッセージを受信する音声出力機器側制御メッセージ受信部とを備え、
前記映像音声再生機器は、
前記映像音声出力機器から、前記音声出力機器の音声再生能力情報と、当該音声再生能力を利用するか否かを設定する情報とを含む前記制御メッセージを受信する映像音声再生機器側制御メッセージ受信部と、
前記映像データ及び前記音声データを再生する再生部とを備え、
前記ネットワークにおいて、前記映像データ及び前記音声データが前記映像音声再生機器から前記音声出力機器に一方向に送信されるように、かつ、前記映像データ及び前記音声データが前記音声出力機器から前記映像音声出力機器に一方向に送信されるように、前記映像音声再生機器、前記音声出力機器及び前記映像音声出力機器が接続される場合には、
前記音声出力機器側制御メッセージ受信部が、前記映像音声出力機器側制御メッセージ送信部が送信した、一方向伝送を用いた前記音声再生能力情報を切り替えない旨を示す前記制御メッセージを受信する場合には、前記音声出力機器は前記映像音声再生機器に対して一方向伝送を用いた前記音声再生能力情報の再伝送を禁止し、
前記ネットワークにおいて、前記映像データ及び前記音声データが前記映像音声再生機器から前記映像音声出力機器に一方向に送信されるように、前記映像音声再生機器及び前記映像音声出力機器が接続され、かつ、前記ネットワークとは異なるネットワークを通じて前記音声データが前記映像音声出力機器から前記音声出力機器に出力されるように、前記映像音声出力機器及び前記音声出力機器が接続される場合には、
前記映像音声出力機器側制御メッセージ送信部は、前記制御メッセージを送信する場合には、前記映像音声出力機器は前記映像音声再生機器に対して一方向伝送を用いた前記音声再生能力情報の再伝送を禁止し、
前記再生部は、前記映像音声再生機器側制御メッセージ受信部が、音声再生能力を利用する旨を示す前記制御メッセージを受信する場合には、前記音声出力機器からの一方向伝送により受信した音声再生能力情報に従わずに、前記映像音声出力機器から受信した前記制御メッセージに含まれる前記音声再生能力情報に従って、前記音声データを再生する
ことを特徴とする映像音声データ再生システム。
【請求項６】
ネットワークを介して接続された、映像データ及び音声データを再生する映像音声再生機器と、前記映像音声再生機器で再生された前記音声データを出力することが可能な音声出力機器と、前記映像音声再生機器で再生された前記映像データ及び前記音声データを出力することが可能な映像音声出力機器とを備える映像音声データ再生システムにおける映像音声データ再生方法であって、
前記ネットワークにおいて、（ｉ）前記映像データ及び前記音声データは、任意の２つのデータ送信機器とデータ受信機器間で一方向に送信され、（ｉｉ）制御メッセージは全ての機器間で双方向に送信され、かつ、（ｉｉｉ）データ受信機器側からデータ送信機器側へ、前記データ受信機器の音声再生能力情報の一方向伝送が可能になると、前記映像データ及び前記音声データの送受信のための機器の接続が有効になり、
前記映像音声データ再生方法は、
前記映像音声出力機器が、前記音声出力機器に対して当該音声出力機器の音声再生能力情報を問い合わせ、取得するステップと、
前記映像音声出力機器が、前記映像音声再生機器に対して、前記音声出力機器の音声再生能力情報と、当該音声再生能力を利用するか否かを設定する情報とを、前記制御メッセージに含めて送信するステップと、
前記映像音声出力機器が、さらに、前記音声出力機器に対して、一方向伝送を用いた前記音声再生能力情報を切り替えるか否かを設定する情報を、前記制御メッセージに含めて送信するステップとを含み、
前記ネットワークにおいて、前記映像データおよび前記音声データが前記映像音声再生機器から前記音声出力機器に一方向に送信されるように、かつ、前記映像データ及び前記音声データが前記音声出力機器から前記映像音声出力機器に一方向に送信されるように、前記映像音声再生機器、前記音声出力機器及び前記映像音声出力機器が接続される場合には、
前記映像音声データ再生方法は、さらに、前記音声出力機器が、前記映像音声出力機器側制御メッセージ送信部が送信した、一方向伝送を用いた前記音声再生能力情報を切り替えない旨を示す前記制御メッセージを受信する場合には、前記映像音声再生機器に対して一方向伝送を用いた前記音声再生能力情報の再伝送を禁止するステップを含み、
前記ネットワークにおいて、前記映像データ及び音声データが前記映像音声再生機器から前記映像音声出力機器に一方向に送信されるように、前記映像音声再生機器及び前記映像音声出力機器が接続され、かつ、前記ネットワークとは異なるネットワークを通じて前記音声データが前記映像音声出力機器から前記音声出力機器に出力されるように、前記映像音声出力機器および前記音声出力機器が接続される場合には、
前記映像音声データ再生方法は、前記映像音声出力機器が、前記制御メッセージを送信する場合には、前記映像音声再生機器に対して一方向伝送を用いた前記音声再生能力情報の再伝送を禁止するステップと、
前記映像音声再生機器が、当該音声再生能力を利用する旨を示す前記制御メッセージを受信する場合には、前記映像音声出力機器から受信した前記制御メッセージに含まれる前記音声再生能力情報に従って、前記音声データを再生するステップとを含む
ことを特徴とする映像音声データ再生方法。
【手続補正２】
【補正対象書類名】明細書
【補正対象項目名】全文
【補正方法】変更
【補正の内容】
【発明の詳細な説明】
【技術分野】
【０００１】
本発明は、機器間で、映像・音声データが一方向データ接続により伝送され、制御メッセージが双方向にやり取りされるホームエンターテイメント・ネットワーク等のネットワークにおいて、音声データの出力元である音声再生機器から音声出力機器への出力音声フォーマットを切り替える方法に関する。
【背景技術】
【０００２】
近年、家庭内のデジタル機器を相互接続し、ユーザが各種コンテンツを高画質・高音質で楽しむ家庭内ネットワークが実現されつつある。例えば、２００２年１２月に仕様が策定されたＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）は、１本のケーブルで、映像、音声及び制御信号の伝送が可能な、次世代ＡＶ（Ａｕｄｉｏ  Ｖｉｓｕａｌ）機器向けのデジタル映像・音声入出力インターフェース規格である（例えば、非特許文献１を参照。）。
【０００３】
ＨＤＭＩ規格は、制御信号を双方向に伝送させるためのプロトコルとしてＣＥＣ（Ｃｏｎｓｕｍｅｒ  Ｅｌｅｃｔｒｏｎｉｃｓ  Ｃｏｎｔｒｏｌ）を規定している。ＣＥＣプロトコルを用いれば、制御信号を機器間で中継させることにより、１台のリモコンから複数のＡＶ機器を制御することができる。つまり、ＴＶ（Ｔｅｌｅｖｉｓｉｏｎ）、ＡＶアンプ及びＤＶＤプレーヤ／レコーダ間で制御信号を双方向に伝送することにより、１つのリモコンで、ホームシアター全体を操作することも可能となる。
【０００４】
ＨＤＭＩ規格では、デジタル伝送によって信号の劣化が発生しないだけでなく、ＤＶＤプレーヤ／レコーダなどの再生機器が、接続先の機器の再生能力情報を読み取って映像・音声データの出力形式を合わせたり、映像・音声データを暗号化して伝送することにより違法コピーを防止したりする特徴を持っている。
【０００５】
再生能力情報は、ＴＶやＡＶアンプなどのＨＤＭＩ入力ポートを備えた機器（「ＨＤＭＩ入力機器」とする）から接続相手機器（「ＨＤＭＩ出力機器」とする）に、一方向データ接続であるＤＤＣ（Ｄｉｓｐｌａｙ  Ｄａｔａ  Ｃｈａｎｎｅｌ）バスを利用し、伝達される。「ＤＤＣ」とは、ディスプレイのプラグ＆プレイを実現するために、接続相手機器にディスプレイの機種情報などを伝える機能として定めたＶＥＳＡ（Ｖｉｄｅｏ  Ｅｌｅｃｔｒｏｎｉｃｓ  Ｓｔａｎｄａｒｄｓ  Ａｓｓｏｃｉａｔｉｏｎ）の規格である。ディスプレイの機種情報やサポートする画像・音声フォーマットなどがＥＤＩＤ（Ｅｎｈａｎｃｅｄ  Ｅｘｔｅｎｄｅｄ  Ｄｉｓｐｌａｙ  Ｉｄｅｎｔｉｆｉｃａｔｉｏｎ  Ｄａｔａ）としてＨＤＭＩ入力機器のメモリに格納される。ＥＤＩＤは、ＨＤＭＩ入力機器によるＨＰＤ（Ｈｏｔ  Ｐｌｕｇ  Ｄｅｔｅｃｔ  Ｓｉｇｎａｌ）のＬｏｗからＨｉｇｈへの切替（あるいはパルス）に応答して、ＤＤＣバス経由で、ＤＤＣバスに接続されたＨＤＭＩ出力機器から読み出される。ＨＰＤがＨｉｇｈであれば、ＨＤＭＩ出力機器は、ＨＤＭＩ入力機器のＥＤＩＤを読み出すことができ、ＨＤＭＩ入力機器であるＴＶやＡＶアンプは、ＥＤＩＤに記載した画像・音声フォーマットでの、デジタル映像・音声データの再生能力を備えるということを示唆することになる。
【０００６】
一方、ＨＤＭＩ規格では、著作権保護が必要なコンテンツ出力を行う場合、接続相手機器が正当な機器であることを確認するための認証プロトコルであるＨＤＣＰ（Ｈｉｇｈ−ｂａｎｄｗｉｄｔｈ  Ｄｉｇｉｔａｌ  Ｃｏｎｔｅｎｔ  Ｐｒｏｔｅｃｔｉｏｎ  Ｓｙｓ
ｔｅｍ）が採用されており、ＨＰＤのＬｏｗからＨｉｇｈへの切替（あるいはパルス）に応答して、認証を開始することが規定されている。
【０００７】
再生機器が接続先の機器の再生能力情報を読み取ってデータ出力形式を合わせる機能は便利ではあるが、その一方で、再生機器につながったＨＤＭＩ出力先の機器間で、音声を出力する機器（スピーカ）が変更になるなどで、音声再生能力が変化した場合には、その都度、再生機器に対し、読み出させる再生能力情報を切り替え、適切な音声データを送出してもらわなくてはならないというデメリットを持つ。
【０００８】
図１は、ＨＤＭＩ接続構成の例を示す図である。
【０００９】
例えば、ＤＶＤレコーダ１０と、ＡＶアンプ２０と、ＴＶ３０とが接続されているものとする。
【００１０】
ＤＶＤレコーダ１０は、１つのＨＤＭＩ出力ポート（１０ＰＯ＿１）を備え、ＡＶアンプ２０は、１つのＨＤＭＩ入力ポート（２０ＰＩ＿１）と、１つのＨＤＭＩ出力（２０ＰＯ＿１）ポートとを備え、ＴＶ３０は、１つのＨＤＭＩ入力ポート（３０ＰＩ＿１）を備える。
【００１１】
ＤＶＤレコーダ１０、ＡＶアンプ２０、ＴＶ３０は、それぞれＨＤＭＩで接続され、映像・音声データは、（１０ＰＯ＿１）→（２０ＰＩ＿１）→（２０ＰＯ＿１）→（３０ＰＩ＿１）と一方向に伝送される。制御メッセージは、ＨＤＭＩの制御信号のバス上で、双方向に伝送される。ここで、音声の出力に関し、ＡＶアンプ２０は５．１チャンネルのＰＣＭ（Ｐｕｌｓｅ  Ｃｏｄｅ  Ｍｏｄｕｌａｔｉｏｎ）の出力が可能で、ＴＶ３０は２チャンネルのＰＣＭ出力のみに対応しているとし、ＤＶＤレコーダ１０は、５．１チャンネルのデジタルサラウンド対応のＤＶＤビデオコンテンツを再生するものとする。ここで、映像も音声もＴＶ３０から出力される状態を「テレビモード」と呼び、映像はＴＶ３０から、音声はＡＶアンプ２０から出力される状態を「シアターモード」と呼ぶ。テレビモードとシアターモードとの切替は、ユーザの機器操作をトリガとして、ＣＥＣプロトコルを用いて、ＴＶ３０からＡＶアンプ２０へ指示されるものとするが、本発明の主眼ではないため、詳細な説明は省略する。
【００１２】
図２は、テレビモードでの音声出力の例を示す図である。
【００１３】
ＴＶ３０は音声を２チャンネルＰＣＭでしか再生できないため、ＴＶ３０のＥＤＩＤ３０Ｃに記載される音声再生能力情報３０Ｃ１は、例えば、「オーディオタイプ＝ＰＣＭ、その最大チャンネル数＝２」と設定される。ＥＤＩＤ３０Ｃには、その他、オーディオについては、サポートするサンプリング周波数や量子化ビット数などが、また、映像については、サポートするビデオフォーマットの種類などが再生能力情報として設定されるが、本発明の主眼ではないため、詳細な説明は省略する。ＴＶ３０がＡＶアンプ２０に出力するＨＰＤ信号３０Ｐは、Ｈｉｇｈに設定される。
【００１４】
ここで、映像も音声もＴＶ３０で出力するテレビモードの場合には、ＡＶアンプ２０のＥＤＩＤ２０Ｃに記載される音声再生能力情報２０Ｃ１を、ＴＶ３０から読み出したＴＶ３０の音声再生能力情報３０Ｃ１に合わせ、「オーディオタイプ＝ＰＣＭ、その最大チャンネル数＝２」と設定する。ＡＶアンプ２０は、５．１チャンネルなどでサラウンド再生する能力を備えているが、仮に音声再生能力情報２０Ｃ１に２チャンネル以上の設定を行った場合には、ＤＶＤレコーダ１０からマルチチャンネル音声が再生されると、２チャンネルＰＣＭしか再生できないＴＶ３０で、音声が正しく再生されないことになる。ＡＶアンプ２０がＤＶＤレコーダ１０に出力するＨＰＤ信号２０Ｐは、Ｈｉｇｈに設定される。
【００１５】
ＤＶＤレコーダ１０は、ＡＶアンプ２０のＥＤＩＤ２０Ｃを読み出し、音声再生能力情報２０Ｃ１に基づき、ＴＶ３０で出力可能な２チャンネルＰＣＭで音声を送出することになる。
【００１６】
図３は、ＨＤＭＩ接続での映像音声データ再生方法の従来例を示す図である。
【００１７】
映像及び音声をＴＶ３０で出力しているテレビモードのとき、ＴＶ３０の音声再生能力情報３０Ｃ１、ＡＶアンプ２０の音声再生能力情報２０Ｃ１は、図２に示したものと同様である。
【００１８】
ここで、音声をＡＶアンプ２０から出力するシアターモードに切り替える場合（３０Ｈ）、ＡＶアンプ２０の音声再生能力情報２０Ｃ１を、テレビモードの場合と同じままにすると、ＡＶアンプ２０からの音声出力も２チャンネルに制限されてしまう。そこで、ＡＶアンプ２０は、ＨＰＤ信号２０Ｐを一旦Ｌｏｗに切り替え（２０Ｐ＿Ｌ）、５．１チャンネルの再生が可能であることを示す音声再生能力情報２０Ｃ２（例えば、「オーディオタイプ＝ＰＣＭ、その最大チャンネル＝６」）を設定し、ＨＰＤ信号２０Ｐを再度Ｈｉｇｈに切り替える（２０Ｐ＿Ｈ）。
【００１９】
ＨＰＤ信号２０ＰをＬｏｗ（２０Ｐ＿Ｌ）からＨｉｇｈ（２０Ｐ＿Ｈ）に切り替えると、ＤＶＤレコーダ１０は、ＨＤＣＰに準拠し、ＨＤＭＩ接続状況に変化が発生した可能性があると判断し、接続相手機器が正当な機器か否かを確認するために、再度、認証を開始する。認証開始の際には、映像・音声データの出力を停止し、もう一度ＡＶアンプ２０のＥＤＩＤ２０Ｃを読み出し、コンテンツ保護の必要のない映像信号（例えば、ブラックアウトなど）を伝送しながら、ＡＶアンプ２０が正当な機器か否かを確認する。そして、ＤＶＤレコーダ１０は、ＡＶアンプ２０が正当な機器であると確認できた時点で、再度、映像・音声データの出力を開始し、音声については、ＡＶアンプ２０の音声再生能力情報２０Ｃ２で示された、再生可能な音声再生フォーマットにて出力を開始する。ＨＤＣＰの認証については、本発明の主眼ではないので、詳細な説明は省略する。
【００２０】
次に、ＨＤＭＩ接続構成が異なる別の例について、以下に説明する。
【００２１】
図４は、ＨＤＭＩ接続構成の別の例を示す図である。
【００２２】
例えば、ＤＶＤレコーダ１０と、ＡＶアンプ２１と、ＴＶ３１とが接続されているものとする。
【００２３】
ＡＶアンプ２１は、１つのＨＤＭＩ出力（２１ＰＯ＿１）ポートと、１つの光デジタル音声入力（２１ＰＩ＿１）とを備え、ＴＶ３１は、２つのＨＤＭＩ入力ポート（３１ＰＩ＿１、３１ＰＩ＿２）と、１つの光デジタル音声出力（３１ＰＯ＿１）とを備える。
【００２４】
図１の接続構成と異なる点は、ＤＶＤレコーダ１０が、ＡＶアンプ２１ではなく、ＴＶ３１のＨＤＭＩ入力ポート（３１ＰＩ＿１）に接続されている点と、ＴＶ３１とＡＶアンプ２１とが光音声デジタルケーブルによって接続されている点である。
【００２５】
映像・音声データは、（１０ＰＯ＿１）→（３１ＰＩ＿１）と一方向に伝送される。また、音声データは、さらに（３１ＰＯ＿１）→（２１ＰＩ＿１）に伝送される。制御メッセージは、ＨＤＭＩの制御信号のバス上で、双方向に伝送される。ここで、音声の出力に関し、ＡＶアンプ２１は５．１チャンネルの圧縮音声（例えば、Ｄｏｌｂｙ  Ｄｉｇｉｔａｌ（登録商標）方式）の出力が可能で、ＴＶ３１は２チャンネルのＰＣＭ出力のみに対
応しているとする。
【００２６】
図５は、テレビモードでの音声出力の例を示す図である。
【００２７】
ＴＶ３１は音声を２チャンネルＰＣＭでしか再生できないため、ＴＶ３１のＥＤＩＤ３１Ｃに記載される音声再生能力情報３１Ｃ１は、例えば、「オーディオタイプ＝ＰＣＭ、その最大チャンネル数＝２」と設定される。ＴＶ３１がＤＶＤレコーダ１０に出力するＨＰＤ信号３１Ｐは、Ｈｉｇｈに設定される。
【００２８】
ＤＶＤレコーダ１０は、ＴＶ３１のＥＤＩＤ３１Ｃを読み出し、音声再生能力情報３１Ｃ１に基づき、ＴＶ３１で出力可能な２チャンネルＰＣＭで音声を送出することになる。
【００２９】
図６は、ＨＤＭＩ接続での映像音声データ再生方法の従来例を示す図である。
【００３０】
映像及び音声をＴＶ３１で出力しているテレビモードのとき、ＴＶ３１の音声再生能力情報３１Ｃ１は、図５に示したものと同様である。
【００３１】
ここで、音声をＡＶアンプ２１から出力するシアターモードに切り替える場合（３１Ｈ）、ＴＶ３１の音声再生能力情報を３１Ｃ１のままとすると、ＤＶＤレコーダ１０が出力する音声は、２チャンネルＰＣＭのままであるため、ＡＶアンプ２１からの音声出力も２チャンネルに制限されてしまう。
【００３２】
そこで、ＴＶ３１は、ＨＰＤ信号３１Ｐを一旦Ｌｏｗに切り替え（３１Ｐ＿Ｌ）、５．１チャンネルの再生が可能であることを示す音声再生能力情報３１Ｃ２（例えば、「オーディオタイプ＝Ｄｏｌｂｙ  Ｄｉｇｉｔａｌ、その最大チャンネル＝６」）を設定し、ＨＰＤ信号３１Ｐを再度Ｈｉｇｈに切り替える（３１Ｐ＿Ｈ）。
【００３３】
ＨＰＤ信号３１ＰをＬｏｗ（３１Ｐ＿Ｌ）からＨｉｇｈ（３１Ｐ＿Ｈ）に切り替えると、図３の例と同様に、ＤＶＤレコーダ１０は、ＨＤＣＰに準拠し、ＨＤＭＩ接続状況に変化が発生した可能性があると判断し、接続相手機器が正当な機器か否かを確認するために、再度、認証を開始する。認証開始の際には、ＤＶＤレコーダ１０は、映像・音声データの出力を停止し、もう一度ＴＶ３１のＥＤＩＤ３１Ｃを読み出し、コンテンツ保護の必要のない映像信号（例えば、ブラックアウトなど）を伝送しながら、ＴＶ３１が正当な機器か否かを確認する。そして、ＤＶＤレコーダ１０は、ＴＶ３１が正当な機器であると確認できた時点で、再度、映像・音声データの出力を開始し、音声については、ＴＶ３１の音声再生能力情報３１Ｃ２で示された、再生可能な音声再生フォーマットにて出力を開始する。
【非特許文献１】Ｈｉｇｈ−Ｄｅｆｉｎｉｔｉｏｎ  Ｍｕｌｔｉｍｅｄｉａ  Ｉｎｔｅｒｆａｃｅ  Ｓｐｅｃｉｆｉｃａｔｉｏｎ  Ｖｅｒｓｉｏｎ  １．３
【発明の開示】
【発明が解決しようとする課題】
【００３４】
しかしながら、従来の映像音声データ再生方法では、出力音声切替時に、映像・音声データ（コンテンツ）の出力を停止し、ＨＤＣＰの認証を実施すると、再度映像・音声データを出力するまでに、数秒、コンテンツ視聴ができない期間が発生してしまうという課題を有する。
【００３５】
本発明は、上述の課題を解決するためになされたものであり、出力音声切替時に、出力相手機器の再認証が必要となるために発生していた映像・音声データのとぎれを低減できる映像音声出力機器、音声出力機器、映像音声再生機器、映像音声データ再生システム及
び映像音声データ再生方法を提供することを目的とする。
【課題を解決するための手段】
【００３６】
上述の目的を達成するために、本発明に係る映像音声データ再生システムは、ネットワークを介して接続された、映像データ及び音声データを再生する映像音声再生機器と、前記映像音声再生機器で再生された前記音声データを出力することが可能な音声出力機器、前記映像音声再生機器で再生された前記映像データおよび前記音声データを出力することが可能な映像音声出力機器とを備える映像音声データ再生システムであって、前記ネットワークにおいて、（ｉ）前記映像データ及び前記音声データは、任意の２つのデータ送信機器とデータ受信機器間で一方向に送信され、（ｉｉ）制御メッセージは全ての機器間で双方向に送信され、かつ、（ｉｉｉ）データ受信機器側からデータ送信機器側へ、前記データ受信機器の音声再生能力情報の一方向伝送が可能になると、前記映像データ及び前記音声データの送受信のための機器の接続が有効になり、前記映像音声出力機器は、前記音声出力機器に対して当該音声出力機器の音声再生能力情報を問い合わせ、取得する音声出力機器の音声再生能力問い合わせ部と、前記音声出力機器の音声再生能力情報と、当該音声再生能力を利用するか否かを設定する情報とを、前記制御メッセージに含めて、前記映像音声再生機器に対して送信する映像音声出力機器側制御メッセージ送信部を備え、前記映像音声出力機器側制御メッセージ送信部は、さらに、一方向伝送を用いた前記音声再生能力情報を切り替えるか否かを設定する情報を、前記制御メッセージに含めて、前記音声出力機器に対して送信し、前記音声出力機器は、前記音声出力機器の音声再生能力情報と、一方向伝送を用いた前記音声再生能力情報を切り替えるか否かを示す情報とを、前記制御メッセージに含めて、前記映像音声出力機器に対して送信する音声出力機器側制御メッセージ送信部と、前記映像音声出力機器から、一方向伝送を用いた前記音声再生能力情報を切り替えるか否かを設定する情報を含む前記制御メッセージを受信する音声出力機器側制御メッセージ受信部とを備え、前記映像音声再生機器は、前記映像音声出力機器から、前記音声出力機器の音声再生能力情報と、当該音声再生能力を利用するか否かを設定する情報とを含む前記制御メッセージを受信する映像音声再生機器側制御メッセージ受信部と、前記映像データ及び前記音声データを再生する再生部とを備え、前記ネットワークにおいて、前記映像データ及び前記音声データが前記映像音声再生機器から前記音声出力機器に一方向に送信されるように、かつ、前記映像データ及び前記音声データが前記音声出力機器から前記映像音声出力機器に一方向に送信されるように、前記映像音声再生機器、前記音声出力機器及び前記映像音声出力機器が接続される場合には、前記音声出力機器側制御メッセージ受信部が、前記映像音声出力機器側制御メッセージ送信部が送信した、一方向伝送を用いた前記音声再生能力情報を切り替えない旨を示す前記制御メッセージを受信する場合には、前記音声出力機器は前記映像音声再生機器に対して一方向伝送を用いた前記音声再生能力情報の再伝送を禁止し、前記ネットワークにおいて、前記映像データ及び前記音声データが前記映像音声再生機器から前記映像音声出力機器に一方向に送信されるように、前記映像音声再生機器及び前記映像音声出力機器が接続され、かつ、前記ネットワークとは異なるネットワークを通じて前記音声データが前記映像音声出力機器から前記音声出力機器に出力されるように、前記映像音声出力機器及び前記音声出力機器が接続される場合には、前記映像音声出力機器側制御メッセージ送信部は、前記制御メッセージを送信する場合には、前記映像音声出力機器は前記映像音声再生機器に対して一方向伝送を用いた前記音声再生能力情報の再伝送を禁止し、前記再生部は、前記映像音声再生機器側制御メッセージ受信部が、音声再生能力を利用する旨を示す前記制御メッセージを受信する場合には、前記音声出力機器からの一方向伝送により受信した音声再生能力情報に従わずに、前記映像音声出力機器から受信した前記制御メッセージに含まれる前記音声再生能力情報に従って、前記音声データを再生することを特徴とする。
【００３７】
制御メッセージにより音声再生能力が映像音声再生機器に送信される。このため、一方向伝送で読み出される音声再生能力とは無関係に、映像音声再生機器が再生する音声のフ
ォーマットを切り替えることができる。
【００３８】
また、制御メッセージに含まれる設定情報により、音声出力機器が音声再生能力を切り替えないよう指定することにより、音声出力機器は、映像音声再生機器に音声再生能力を読み取らせる必要がなくなる。これにより、音声再生能力の変更に伴って認証が必要となるために発生していた映像の停止（途切れ）を回避することができる。
【発明の効果】
【００３９】
本発明によると、従来発生していた映像・音声データのとぎれを低減できる、映像音声出力機器、音声出力機器、映像音声再生機器、映像音声データ再生システム及び映像音声データ再生方法を提供することができる。
【発明を実施するための最良の形態】
【００４０】
以下、本発明に係る映像音声データ再生方法の実施の形態について、図面を参照しながら詳細に説明する。
【００４１】
（第１の実施の形態）
本発明の第１の実施の形態における映像音声データ再生方法では、制御メッセージによる指示・通知により、映像音声再生機器が出力できる音声フォーマットを指定する。そして、映像音声再生機器につながったＨＤＭＩ出力先の機器間で、音声出力機器が変更になるなどにより、音声再生能力が変化した場合にも、音声出力機器は、映像音声再生機器に対し、読み出させるデータ再生能力情報を切り替えない。したがって、音声出力機器は映像音声再生機器に対し、ＨＰＤ信号をＬｏｗからＨｉｇｈへ切り替える（パルスする）必要がなくなり、そのため映像音声再生機器はＨＤＣＰ認証を再度実施する必要がない。このため、音声出力機器は、映像音声再生機器に対し、映像の途切れなく、適切な音声データの送出に切り替えてもらうことができる。
【００４２】
図７は、本発明の第１の実施の形態に係るＨＤＭＩ接続での映像音声データ再生方法の例を示す図である。
【００４３】
ＨＤＭＩ接続構成は、図１と同様である。ＤＶＤレコーダ１０、ＡＶアンプ２０、ＴＶ３０、ＥＤＩＤ２０Ｃ、３０Ｃ、ＨＰＤ信号２０Ｐ、３０Ｐは、図２、図３と同様である。また、映像をＴＶ３０で、音声をＡＶアンプ２０で出力しているシアターモードのとき、ＴＶ３０の音声再生能力情報３０Ｃ１、ＡＶアンプ２０の音声再生能力情報２０Ｃ２は、図３と同様である。
【００４４】
図８は、図１に示したＨＤＭＩ接続構成を有する映像音声データ再生システムの外観図である。映像音声データ再生システムは、ＤＶＤレコーダ１０と、ＡＶアンプ２０と、ＴＶ３０とを備えている。
【００４５】
ここで、音声をＴＶ３０から出力するテレビモードに切り替える場合（３０Ｖ）、ＴＶ３０から音声を正しく再生するためには、ＤＶＤレコーダ１０に、２チャンネルＰＣＭでの音声出力に切り替えてもらわなくてはならない。
【００４６】
本発明の映像音声データ再生方法では、まず、ＴＶ３０は、ＡＶアンプ２０に、音声再生能力の切替設定指示（３０Ｍ１）を行う。この指示は、例えば、ＣＥＣメッセージの＜Ｖｅｎｄｏｒ  Ｃｏｍｍａｎｄ＞コマンドを用いて伝送され、テレビモード（音声出力がＴＶ３０で、２チャンネルＰＣＭ出力が可能）／シアターモード（音声出力がＡＶアンプ２０で、ＡＶアンプ２０の再生能力で音声出力が可能）の切替によって、ＡＶアンプ２０のＥＤＩＤの設定内容を変更するか／変更しないかが指定される。ここで、例えば、ＥＤ
ＩＤの再生能力を変更する場合を「切替モード」、変更しない場合を「固定モード」とし、本実施の形態では、固定モードが指定されることになる。
【００４７】
ＡＶアンプ２０は、ＴＶ３０から、音声再生能力の切替設定指示（３０Ｍ１）を受け取ると、ＴＶ３０に、音声再生能力の切替設定通知（２０Ｍ２）を行う。この通知は、例えば、ＣＥＣメッセージの＜Ｖｅｎｄｏｒ  Ｃｏｍｍａｎｄ＞コマンドを用いて伝送され、ＡＶアンプ２０での切替設定モードの有効状態（固定モード／切替モードのいずれの設定か）と、ＡＶアンプ２０の音声再生能力が記載される。音声再生能力とは、例えば、サポートするオーディオタイプ（ＰＣＭ，ＤＴＳ（Ｄｉｇｉｔａｌ  Ｔｈｅａｔｅｒ  Ｓｙｓｔｅｍｓ）など）や、最大チャンネル数、サンプリング周波数・量子化ビット数などで構成されるものとする。ここで、本実施の形態では、ＡＶアンプ２０で、ＴＶ３０からの指示を許諾し、固定モードが設定されたものとする。ＡＶアンプ２０からＴＶ３０に対して、「固定モード設定、音声再生能力は例えばオーディオタイプ＝ＰＣＭ、最大チャンネル数＝６」などの情報が通知されることになる。
【００４８】
ここで、ＴＶ３０から、ＡＶアンプ２０に対し、テレビモードへの切替を指示（３０Ｖ）し、ＡＶアンプ２０は、音声出力をミュートすることになる。シアターモードからテレビモードへの切替及びその動作については、本発明の主眼ではないため、詳細な説明を省略する。
【００４９】
シアターモードからテレビモードへの切替が実施されたとき、ＡＶアンプ２０は、ＥＤＩＤの再生能力２０Ｃを変更しないモード（固定モード）の設定状態にあるため、ＨＰＤ信号２０Ｐをパルスする必要がない。したがって、ＤＶＤレコーダ１０は、ＡＶアンプ２０に対し、正当な機器か否かを確認するために、ＨＤＣＰ認証を開始する必要がなく、そのままコンテンツ出力を継続することができる。
【００５０】
ＴＶ３０は、ＤＶＤレコーダ１０に、出力音声フォーマットの指示（３０Ｍ３）を行う。この指示は、例えば、ＣＥＣメッセージの＜Ｖｅｎｄｏｒ  Ｃｏｍｍａｎｄ＞コマンドを用いて伝送され、ＡＶアンプ２０の再生能力を利用するか否かを示すモード指定と、ＡＶアンプ２０の音声再生能力とが記載される。ここで記載されるＡＶアンプ２０の音声再生能力は、前記音声再生能力の切替設定通知（２０Ｍ２）にて、ＡＶアンプ２０からＴＶ３０に通知されたものと同じ構成・内容である。ＡＶアンプ２０の再生能力を利用するか否かを示すモード設定は、ＡＶアンプ２０の再生能力を利用する場合をシアターモード、利用しない場合にはテレビモードとし、本実施の形態では、テレビモードが指定されることになる。
【００５１】
ＤＶＤレコーダ１０は、ＴＶ３０から出力音声フォーマットの指示（３０Ｍ３）を受け取ると、ＴＶ３０に、出力音声フォーマット設定通知（１０Ｍ４）を行う。この通知は、例えば、ＣＥＣメッセージの＜Ｖｅｎｄｏｒ  Ｃｏｍｍａｎｄ＞コマンドを用いて伝送され、ＤＶＤレコーダ１０でのモードの有効状態（テレビモード／シアターモードのいずれの設定か）が記載される。ここで、本実施の形態では、ＤＶＤレコーダ１０で、ＴＶ３０からの指示を許諾し、テレビモードが設定されたものとする。ＤＶＤレコーダ１０からＴＶ３０に、テレビモード設定が通知され、ＤＶＤレコーダ１０は、予めテレビモードの時の音声フォーマットとして決定している２チャンネルのＰＣＭ音声を出力する。
【００５２】
したがって、ＤＶＤレコーダ１０は、ＡＶアンプ２０のＥＤＩＤ２０Ｃの音声再生能力情報２０Ｃ２の記載とは無関係に、最適な出力音声フォーマットに合わせることができる。
【００５３】
本発明の第１の実施の形態に係る映像音声データ再生方法を実現する各装置の構成につ
いて、図面を参照しながら詳細に説明する。
【００５４】
図９は、本発明の第１の実施の形態に係る映像音声再生機器の構成を示す図であり、映像音声再生機器としてはＤＶＤレコーダ１０が該当する。
【００５５】
ＤＶＤレコーダ１０は、ＨＤＭＩ＿ＯＵＴ部１０１と、ＨＰＤ切替検出部１０２と、ＥＤＩＤ情報取得部１０３と、認証／暗号部１０４と、ＣＥＣ機器連携部１０５と、デコード部１０６と、ＴＭＤＳ（Ｔｒａｎｓｉｔｉｏｎ−Ｍｉｎｉｍｉｚｅｄ  Ｄｉｆｆｅｒｅｎｔｉａｌ  Ｓｉｇｎａｌｉｎｇ：遷移時間最短差動信号伝送方式）エンコード部１０７と、ＴＭＤＳ出力部１０８とを備える。
【００５６】
ＨＤＭＩ＿ＯＵＴ部１０１は、ＨＤＭＩ出力ポートであり、本実施の形態では、ＡＶアンプ２０とＨＤＭＩ接続され、映像音声データの送信や制御メッセージの双方向通信を行う。ＨＤＭＩ＿ＯＵＴ部１０１は、ＨＰＤ信号１０１＿１、ＤＤＣ信号１０１＿２、ＴＭＤＳ信号１０１＿３及びＣＥＣ信号１０１＿４の伝送に使用される。ここで、ＨＤＭＩ＿ＯＵＴ部１０１は、ＨＤＭＩに限定されず、例えば、有線・無線を問わず、同等の機能を提供する、適応した通信方式に応じたインターフェースを設けてもよい。
【００５７】
ＨＰＤ切替検出部１０２は、ＨＤＭＩ＿ＯＵＴ部１０１から入力されるＨＰＤ信号１０１＿１の、ＨｉｇｈからＬｏｗ、ＬｏｗからＨｉｇｈへの切替を検出し、ＥＤＩＤ情報取得部１０３に通知する。
【００５８】
ＥＤＩＤ情報取得部１０３は、ＨＰＤ信号のＬｏｗからＨｉｇｈへの切替検出通知を受けると、ＤＤＣ信号１０１＿２を使用し、ＡＶアンプ２０のＥＤＩＤを読み出す。ＥＤＩＤには、ＡＶアンプ２０が設定した、映像・音声のサポート可能なフォーマットが記載されている。ＥＤＩＤ情報取得部１０３は、この映像・音声の再生能力情報を、デコード部１０６に入力する。また、ＡＶアンプ２０のＥＤＩＤには、ＡＶアンプ２０がＨＤＭＩ機器であることも記載されており、ＥＤＩＤ情報取得部１０３は、認証／暗号部１０４に、ＨＤＭＩ機器に対するＨＤＣＰ認証を適用し、認証を開始するよう指示する。また、ＥＤＩＤ情報取得部１０３は、ＨＰＤ信号のＨｉｇｈからＬｏｗへの切替検出通知を受けると、認証／暗号部１０４に、ＨＤＣＰ認証を停止するよう指示する。
【００５９】
認証／暗号部１０４は、ＥＤＩＤ情報取得部１０３からの認証開始指示を受けると、ＡＶアンプ２０がＨＤＣＰに正規に対応した機器であるかどうかを確認するために、ＡＶアンプ２０との間で、ＤＤＣ信号１０１＿２を使用し、ＨＤＣＰの認証プロトコルを実施する。認証時にはＴＭＤＳ出力が必要なため、認証／暗号部１０４は、ＴＭＤＳ出力部１０８に、著作権保護が不要なコンテンツをＴＭＤＳエンコードしたデータを出力する。ここで、著作権保護が不要なコンテンツデータとは、ブラックアウト映像などを示す。認証が成功すれば、認証／暗号部１０４は、ＴＭＤＳエンコード部１０７に対して、出力するコンテンツをＴＭＤＳ伝送用データにエンコードし、認証／暗号部１０４に出力するよう指示し、かつ、成功した認証情報を用いて、そのＴＭＤＳ伝送用データを暗号化し、ＴＭＤＳ出力部１０８へ出力する。認証が失敗すれば、著作権保護が必要なコンテンツは出力できないため、認証／暗号部１０４は、ＴＭＤＳエンコード部１０７に対して、コンテンツのＴＭＤＳエンコードと認証／暗号部１０４への出力の停止とを指示する。
【００６０】
ＣＥＣ機器連携部１０５は、ＣＥＣ信号１０１＿４を用い、ＣＥＣメッセージのやり取りを行う。ここで、ＣＥＣ通信及びＣＥＣメッセージの詳細についての説明は、本発明の主眼ではないため、省略する。ＣＥＣ機器連携部１０５は、出力音声設定部１０５＿１を有し、出力音声設定部１０５＿１は、出力音声フォーマットを指示するＣＥＣメッセージ（３０Ｍ３）を受信し、出力音声フォーマット設定を通知するＣＥＣメッセージ（１０Ｍ
４）を送信する。ここで、出力音声フォーマットを指定するＣＥＣメッセージ（３０Ｍ３）で、シアターモードと設定されていた場合には、ＣＥＣメッセージ（３０Ｍ３）に記載されているＡＶアンプ２０の音声再生能力を音声再生能力情報として、デコード部１０６に出力する。一方、ＣＥＣメッセージ（３０Ｍ３）でテレビモードと設定されていた場合には、予め出力音声設定部１０５＿１で決定している２チャンネルの音声再生能力を音声再生能力情報として、デコード部１０６に出力する。
【００６１】
デコード部１０６は、映像に関しては、ＥＤＩＤ情報取得部１０３から入力された映像再生能力情報に基づき、映像ストリームをデコードする。デコード部１０６は、音声に関しては、ＥＤＩＤ情報取得部１０３から、又は、出力音声設定部１０５＿１から入力された音声再生能力情報のうち、最新の再生能力情報に基づき、音声ストリームをデコードする。デコード部１０６は、デコードされた映像・音声データを、ＴＭＤＳエンコード部１０７に出力する。
【００６２】
ＴＭＤＳエンコード部１０７は、前記認証／暗号部１０４から指示があれば、デコード部１０６から入力される映像・音声出力データを、ＴＭＤＳ伝送用データにエンコードし、前記認証／暗号部１０４に出力する。
【００６３】
ＴＭＤＳ出力部１０８は、前記認証／暗号部１０４から入力される、暗号化されたＴＭＤＳ伝送用データ、又は、暗号化されていないＴＭＤＳ伝送用データを、ＨＤＭＩ＿ＯＵＴ部１０１のＴＭＤＳ１０１＿３ラインを用いて、出力する。
【００６４】
図１０は、本発明の第１の実施の形態に係る音声出力機器の構成を示す図であり、音声出力機器としてはＡＶアンプ２０が該当する。
【００６５】
ＡＶアンプ２０は、ＨＤＭＩ＿ＯＵＴ部２０１と、ＨＰＤ切替検出部２０２と、ＥＤＩＤ情報取得部２０３と、認証／暗号部２０４と、ＣＥＣ機器連携部２０５と、ＴＭＤＳ出力部２０６と、ＨＤＭＩ＿ＩＮ部２０７と、ＥＤＩＤ設定部２０８と、ＥＤＩＤ２０９と、ＨＰＤ制御部２１０と、ＴＭＤＳ入力部２１１と、認証／復号部２１２と、ＴＭＤＳデコード部２１３と、音声出力部２１４とを備える。
【００６６】
ＨＤＭＩ＿ＯＵＴ部２０１は、ＨＤＭＩ出力ポートであり、本実施の形態では、ＴＶ３０とＨＤＭＩ接続され、映像音声データの送信や制御メッセージの双方向通信を行う。ＨＤＭＩ＿ＯＵＴ部２０１は、ＨＰＤ信号２０１＿１、ＤＤＣ信号２０１＿２、ＴＭＤＳ信号２０１＿３及びＣＥＣ信号２０１＿４の信号の伝送に使用される。ここで、ＨＤＭＩ＿ＯＵＴ部２０１は、ＨＤＭＩに限定されず、例えば、有線・無線問わず、同等の機能を提供する、適応した通信方式に応じたインターフェースを設けてもよい。
【００６７】
ＨＰＤ切替検出部２０２は、ＨＤＭＩ＿ＯＵＴ部２０１から入力されるＨＰＤ信号２０１＿１の、ＨｉｇｈからＬｏｗ、ＬｏｗからＨｉｇｈへの切替を検出し、ＥＤＩＤ情報取得部２０３に通知する。
【００６８】
ＥＤＩＤ情報取得部２０３は、ＨＰＤ信号のＬｏｗからＨｉｇｈへの切替検出通知を受けると、ＤＤＣ信号２０１＿２を使用し、ＴＶ３０のＥＤＩＤを読み出す。ＥＤＩＤには、ＴＶ３０が設定した、映像・音声のサポート可能なフォーマットが記載されている。ＥＤＩＤ情報取得部２０３は、この映像・音声の再生能力情報を、ＥＤＩＤ設定部２０８に入力する。また、ＴＶ３０のＥＤＩＤには、ＴＶ３０がＨＤＭＩ機器であることも記載されており、ＥＤＩＤ情報取得部２０３は、認証／暗号部２０４に、ＨＤＭＩ機器に対するＨＤＣＰ認証を適用するよう指定する。ここで、ＥＤＩＤ情報取得部２０３は、認証開始時には、ＨＤＭＩ機器に対する認証を行うよう指定するだけであり、認証の開始は指示し
ない。ＥＤＩＤ情報取得部２０３は、ＨＰＤ信号のＨｉｇｈからＬｏｗへの切替検出通知を受けると、認証／暗号部２０４に、ＨＤＣＰ認証を停止するよう指示する。
【００６９】
認証／暗号部２０４は、認証／復号部２１２からの認証開始指示を受けると、ＴＶ３０がＨＤＣＰに正規に対応した機器であるかどうかを確認するために、ＴＶ３０との間で、ＤＤＣ信号２０１＿２を使用し、ＨＤＣＰの認証プロトコルを実施する。認証時にはＴＭＤＳ出力が必要なため、認証／暗号部２０４は、ＴＭＤＳ出力部２０６に、著作権保護が不要なコンテンツをＴＭＤＳエンコードしたデータを出力する。ここで、著作権保護が不要なコンテンツデータとは、ブラックアウト映像などを示す。認証が成功すれば、認証／暗号部２０４は、認証／復号部２１２に対してＴＭＤＳ伝送用データの出力を指示し、成功した認証情報を用いて、入力したＴＭＤＳ伝送用データを暗号化し、ＴＭＤＳ出力部２０６へ出力する。認証が失敗すれば、著作権保護が必要なコンテンツは出力できないため、認証／暗号部２０４は、認証／復号部２１２に、ＴＭＤＳ伝送用データの出力停止を指示する。
【００７０】
ＣＥＣ機器連携部２０５は、ＣＥＣ信号２０１＿４及び２０７＿４を用い、ＣＥＣメッセージのやり取りを行う。ここで、ＣＥＣ通信及びＣＥＣメッセージの詳細についての説明は、本発明の主眼ではないため、省略する。ＣＥＣ機器連携部２０５は、ＴＶ３０とのＣＥＣ通信により、テレビモード／シアターモードの設定切替を認識し、その設定情報をＥＤＩＤ設定部２０８と認証／復号部２１２に通知する。ＣＥＣ機器連携部２０５は、再生能力設定部２０５＿１を有し、再生能力設定部２０５＿１は、ＴＶ３０から音声再生能力切替設定を指示するＣＥＣメッセージ（３０Ｍ１）を受信し、ＴＶ３０に音声再生能力の切替設定を通知するＣＥＣメッセージ（２０Ｍ２）を送信する。再生能力設定部２０５＿１は、音声再生能力切替設定を指定するＣＥＣメッセージ（３０Ｍ１）の切替モード／固定モード情報を、ＥＤＩＤ設定部２０８に入力する。
【００７１】
ＴＭＤＳ出力部２０６は、前記認証／暗号部２０４から入力される、暗号化されたＴＭＤＳ伝送用データ、又は、暗号化していないＴＭＤＳ伝送用データを、ＨＤＭＩ＿ＯＵＴ部２０１のＴＭＤＳ２０１＿３ラインを用いて、出力する。
【００７２】
ＨＤＭＩ＿ＩＮ部２０７は、ＨＤＭＩ入力ポートであり、本実施の形態では、ＤＶＤレコーダ１０とＨＤＭＩ接続され、映像音声データの受信や制御メッセージの双方向通信を行う。ＨＤＭＩ＿ＩＮ部２０７は、ＨＰＤ信号２０７＿１、ＤＤＣ信号２０７＿２、ＴＭＤＳ信号２０７＿３及びＣＥＣ信号２０７＿４の伝送に使用される。ここで、ＨＤＭＩ＿ＩＮ部２０７は、ＨＤＭＩに限定されず、例えば、有線・無線問わず、同等の機能を提供する、適応した通信方式に応じたインターフェースを設けてもよい。
【００７３】
ＥＤＩＤ設定部２０８は、ＥＤＩＤ情報取得部２０３から映像音声再生能力情報が入力された場合に、ＣＥＣ機器連携部２０５から入力されているテレビモード／シアターモードの設定情報に基づき、ＥＤＩＤ２０９の記載内容を決定し、必要があれば変更する。ここで、例えば、ＥＤＩＤ情報取得部２０３から映像音声再生能力情報が入力された場合には、ＥＤＩＤ２０９の音声再生能力情報は、テレビモードの場合にはＴＶ３０の音声再生能力と同じ２チャンネルＰＣＭと設定され、シアターモードの場合には自機器の音声再生能力である６チャンネルＰＣＭと設定される。また、同様に、再生能力設定部２０５＿１から切替モードの指定がされていた場合に、ＣＥＣ機器連携部２０５からテレビモード／シアターモードの設定情報が入力されると、入力されたテレビモード／シアターモードの設定情報に基づき、ＥＤＩＤ２１０の記載内容を決定し、必要があれば変更する。ここで、再生能力設定部２０５＿１から固定モードの指定がされていた場合には、ＣＥＣ機器連携部２０５からテレビモード／シアターモードの設定情報が入力されても、ＥＤＩＤ２１０の記載内容を変更しない。ＥＤＩＤ設定部２０８は、ＥＤＩＤ情報取得部２０３から映
像音声再生能力情報が入力された場合と、ＥＤＩＤ２０９の記載内容を変更した場合に、ＨＰＤ制御部２１０にＨＰＤパルス指示を行う。
【００７４】
ＥＤＩＤ２０９には、ＥＤＩＤ設定部２０８の入力に基づき、映像音声再生能力情報が設定される。
【００７５】
ＨＰＤ制御部２１０は、ＥＤＩＤ設定部２０８からＨＰＤパルス指示があった場合には、ＨＰＤ信号２０７＿１を一旦１００ｍｓ以上Ｌｏｗに引き下げ、再度Ｈｉｇｈに引き上げる。
【００７６】
ＴＭＤＳ入力部２１１は、ＴＭＤＳデータを、ＨＤＭＩ＿ＩＮ部２０７のＴＭＤＳ信号２０７＿３を用いて入力し、認証／復号部２１２に出力する。
【００７７】
認証／復号部２１２は、ＡＶアンプ２０がＨＤＣＰに正規に対応した機器であるかどうかを確認するために、ＤＶＤレコーダ１０が、ＤＤＣ信号２０７＿２を使用し、開始させる認証プロトコルに応答する。認証が開始された場合には、認証／復号部２１２は、認証／暗号部２０４に、ＴＶ３０とのＨＤＣＰ認証を開始するよう指示する。認証応答時にはＴＭＤＳ入力が必要なため、認証／復号部２１２は、ＴＭＤＳ入力部２１１から、著作権保護が不要な、暗号化されていないＴＭＤＳ伝送用データを入力される。また、認証が成功すれば、ＴＭＤＳ入力部２１１から、成功した認証情報を用いて暗号化されたＴＭＤＳ伝送用データが入力される。認証／復号部２１２は、暗号化されたＴＭＤＳ伝送用データを復号することにより、暗号化されていないＴＭＤＳ伝送用データを出力する。ここで、認証／復号部２１２は、復号したＴＭＤＳ伝送用データを、ＣＥＣ機器連携部２０５から入力されているテレビモード／シアターモードの設定情報に基づき、シアターモードの場合にはＴＭＤＳデコード部２１３へ出力し、テレビモードの場合には認証／暗号部２０４に入力の指示があれば、出力する。
【００７８】
ＴＭＤＳデコード部２１３は、ＴＭＤＳ伝送用データをＴＭＤＳデコードし、音声ストリームを、音声出力部２１４に出力する。
【００７９】
音声出力部２１４は、スピーカ部であり、音声を出力する。
【００８０】
図１１は、本発明の第１の実施の形態に係る映像音声出力機器の構成を示す図であり、映像音声出力機器としては、ＴＶ３０が該当する。
【００８１】
ＴＶ３０は、ＨＤＭＩ＿ＩＮ部３０１と、ＥＤＩＤ設定部３０２と、ＥＤＩＤ３０３と、ＨＰＤ制御部３０４と、ＴＭＤＳ入力部３０５と、認証／復号部３０６と、ＣＥＣ機器連携部３０７と、ＴＭＤＳデコード部３０８と、映像出力部３０９と、音声出力部３１０とを備える。
【００８２】
ＨＤＭＩ＿ＩＮ部３０１は、ＨＤＭＩ入力ポートであり、本実施の形態では、ＡＶアンプ２０とＨＤＭＩ接続され、映像音声データの受信や制御メッセージの双方向通信を行う。ＨＤＭＩ＿ＩＮ部３０１は、ＨＰＤ信号３０１＿１、ＤＤＣ信号３０１＿２、ＴＭＤＳ信号３０１＿３及びＣＥＣ信号３０１＿４の伝送に使用される。ここで、ＨＤＭＩ＿ＩＮ部３０１は、ＨＤＭＩに限定されず、例えば、有線・無線問わず、同等の機能を提供する、適応した通信方式に応じたインターフェースを設けてもよい。
【００８３】
ＥＤＩＤ設定部３０２は、電源投入時など、ＥＤＩＤ３０３の記載内容を決定し、設定する。ここで、例えば、音声再生能力は２チャンネルＰＣＭであることを設定する。ＥＤＩＤ３０３の記載内容を設定した場合には、ＨＰＤ制御部３０４にＨＰＤをＨｉｇｈに引
き上げることを指示する。
【００８４】
ＥＤＩＤ３０３には、ＥＤＩＤ設定部３０２の入力に基づき、映像音声再生能力情報が設定される。
【００８５】
ＨＰＤ制御部３０４は、ＥＤＩＤ設定部３０２からＨＰＤ信号のＨｉｇｈへの引き上げ指示があった場合には、ＨＰＤ信号３０１＿１をＨｉｇｈに引き上げる。
【００８６】
ＴＭＤＳ入力部３０５は、ＴＭＤＳデータを、ＨＤＭＩ＿ＩＮ部３０１のＴＭＤＳ３０１＿３信号ラインを用いて入力し、認証／復号部３０６に出力する。
【００８７】
認証／復号部３０６は、ＴＶ３０がＨＤＣＰに正規に対応した機器であるかどうかを確認するために、ＡＶアンプ２０がＤＤＣ信号３０１＿２を使用して開始させる認証プロトコルに応答する。認証応答時にはＴＭＤＳ入力が必要なため、認証／復号部３０６は、ＴＭＤＳ入力部３０５から、著作権保護が不要な、暗号化されていないＴＭＤＳ伝送用データを入力される。また、認証が成功すれば、ＴＭＤＳ入力部３０５から、成功した認証情報を用いて暗号化されたＴＭＤＳ伝送用データが入力される。認証／復号部３０６は、暗号化されたＴＭＤＳ伝送用データを復号し、暗号化されていないＴＭＤＳ伝送用データをＴＭＤＳデコード部３０８へ出力する。
【００８８】
ＣＥＣ機器連携部３０７は、ＣＥＣ信号３０１＿４を用い、ＣＥＣメッセージのやり取りを行う。ここで、ＣＥＣ通信及びＣＥＣメッセージに詳細についての説明は、本発明の主眼ではないため、省略する。ＣＥＣ機器連携部３０７は、ＤＶＤレコーダ１０やＡＶアンプ２０とのＣＥＣ通信により、テレビモード／シアターモードの設定切替を実行する。ＣＥＣ機器連携部３０７は、再生能力設定部３０７＿１を有し、再生能力設定部３０７＿１は、ＡＶアンプ２０に音声再生能力切替設定を指定するＣＥＣメッセージ（３０Ｍ１）を送信し、ＡＶアンプ２０から音声再生能力の切替設定を通知するＣＥＣメッセージ（２０Ｍ２）を受信する。また、再生能力設定部３０７＿１は、ＤＶＤレコーダ１０に出力音声フォーマットを指定するＣＥＣメッセージ（３０Ｍ３）を送信し、ＤＶＤレコーダ１０から出力音声フォーマット設定を通知するメッセージ（１０Ｍ４）を受信する。
【００８９】
ＴＭＤＳデコード部３０８は、ＴＭＤＳ伝送用データをＴＭＤＳデコードし、映像ストリームを映像出力部３０９に、音声ストリームを音声出力部３１０に出力する。
【００９０】
映像出力部３０９は、ディスプレイ部であり、映像を出力する。
【００９１】
音声出力部３１０は、スピーカ部であり、音声を出力する。
【００９２】
以上により、本実施の形態における映像音声データ再生方法は、制御メッセージによるコマンド通知で、音声再生機器が出力できる音声フォーマットを指定することにより、映像音声再生機器は、任意のタイミングにて、コンテンツ伝送を停止することなく、出力音声を、最適な出力音声フォーマットに合わせることができる。
【００９３】
また、制御メッセージによるコマンド通知で、音声出力機器が再生能力情報を切り替えないよう指定することにより、音声出力機器は、映像音声再生機器に音声再生能力情報を読み取らせる必要がなくなり、それに伴うコンテンツ伝送の停止の発生がなくなるため、映像の途切れなく、適切な音声データの送出に切り替えてもらうことができる。
【００９４】
（第２の実施の形態）
本発明の第２の実施の形態における映像音声データ再生方法も、第１の実施の形態と同
様に、制御メッセージによる指示・通知により、映像音声再生機器が出力できる音声フォーマットを指定する。映像音声再生機器につながったＨＤＭＩ出力先の機器間で、音声出力機器が変更になるなどの原因により、音声再生能力が変化した場合にも、映像音声出力機器は、映像音声再生機器に対して読み出させるデータ再生能力情報を切り替えない。したがって、映像音声出力機器は映像音声再生機器に対し、ＨＰＤ信号をＬｏｗからＨｉｇｈへ切り替える（パルスする）必要がなくなり、そのため映像音声再生機器はＨＤＣＰ認証を再度実施する必要がない。このため、映像音声再生装置に映像の途切れなく、適切な音声データの送出に切り替えてもらうことができる。
【００９５】
図１２は、本発明の第２の実施の形態に係るＨＤＭＩ接続での映像音声データ再生方法の例を示す。ＨＤＭＩ接続構成は、図４と同様である。ＤＶＤレコーダ１０、ＡＶアンプ２１、ＴＶ３１、ＥＤＩＤ３１Ｃ、ＨＰＤ信号３１Ｐは、図５、図６と同様である。また、映像をＴＶ３１で、音声をＡＶアンプ２１で出力しているシアターモードのとき、ＴＶ３１の音声再生能力情報３１Ｃ１は図５と同様である。
【００９６】
ここで、音声をＴＶ３１から出力するテレビモードから、音声をＡＶアンプ２１から出力するシアターモードに切り替える場合（３１Ｖ）、ＡＶアンプ２１から５．１チャンネルのサラウンド音声を再生するためには、ＤＶＤレコーダ１０に、５．１チャンネルサラウンド音声での音声出力に切り替えてもらわなくてはならない。
【００９７】
本発明の映像音声データ再生方法では、まず、ＴＶ３１は、ＡＶアンプ２１の音声再生能力の取得要求（３１Ｍ１）を行う。この要求は、例えば、ＣＥＣメッセージの＜Ｖｅｎｄｏｒ  Ｃｏｍｍａｎｄ＞コマンドを用いて伝送される。
【００９８】
ＡＶアンプ２１は、ＴＶ３１から、音声再生能力の取得要求（３１Ｍ１）を受け取ると、ＴＶ３１に、音声再生能力の通知（２１Ｍ２）を行う。この通知は、例えば、ＣＥＣメッセージの＜Ｖｅｎｄｏｒ  Ｃｏｍｍａｎｄ＞コマンドを用いて伝送され、ＡＶアンプ２１の音声再生能力が記載される。記載される音声再生能力は、第１の実施の形態と同様であり、本実施の形態では、ＡＶアンプ２１からＴＶ３１に、音声再生能力として、例えば「オーディオタイプ＝Ｄｏｌｂｙ  Ｄｉｇｉｔａｌ、最大チャンネル数＝６」などと通知されることになる。
【００９９】
ここで、ＴＶ３１から、ＡＶアンプ２１に対し、シアターモードへの切替を指示（３１Ｖ）し、ＡＶアンプ２１は、音声出力を開始することになる。テレビモードからシアターモードへの切替及びその動作については、本発明の主眼ではないため、詳細な説明を省略する。
【０１００】
テレビモードからシアターモードへの切替が実施されたときも、ＴＶ３１は、ＨＰＤ信号３１Ｐをパルスする必要がない。したがって、ＤＶＤレコーダ１０は、ＴＶ３１に対し、正当な機器か否かを確認するために、ＨＤＣＰ認証を開始する必要がなく、そのままコンテンツ出力を継続することができる。
【０１０１】
ＴＶ３１は、ＤＶＤレコーダ１０に、出力音声フォーマットの指示（３０Ｍ３）を行う。この指示は、例えば、ＣＥＣメッセージの＜Ｖｅｎｄｏｒ  Ｃｏｍｍａｎｄ＞コマンドを用いて伝送され、ＡＶアンプ２１の再生能力を利用するか否かを示すモード指定と、ＡＶアンプ２１の音声再生能力とが記載される。ここで記載されるＡＶアンプ２１の音声再生能力は、前記音声再生能力の通知（２１Ｍ２）にて、ＡＶアンプ２１からＴＶ３１に通知されたものと同じ構成・内容である。ＡＶアンプ２１の再生能力を利用するか否かを示すモード設定は、第１の実施の形態と同様に、ＡＶアンプ２１の再生能力を利用する場合をシアターモード、利用しない場合にはテレビモードとする。
【０１０２】
ＤＶＤレコーダ１０は、ＴＶ３１から出力音声フォーマットの指示（３０Ｍ３）を受け取ると、ＴＶ３１に、出力音声フォーマット設定通知（１０Ｍ４）を行う。この通知は、例えば、ＣＥＣメッセージの＜Ｖｅｎｄｏｒ  Ｃｏｍｍａｎｄ＞コマンドを用いて伝送され、ＤＶＤレコーダ１０でのモードの有効状態（テレビモード／シアターモードのいずれの設定か）が記載される。ここで、本実施の形態では、ＤＶＤレコーダ１０で、ＴＶ３１からの指示を許諾しテレビモードが設定されたものとする。ＤＶＤレコーダ１０からＴＶ３１に、テレビモード設定が通知され、ＤＶＤレコーダ１０は、予めテレビモードの時の音声フォーマットとして決定している２チャンネルのＰＣＭ音声を出力する。同様に、ＤＶＤレコーダ１０で、ＴＶ３１からの指示を許諾しシアターモードが設定された場合には、ＤＶＤレコーダ１０からＴＶ３１に、シアターモード設定が通知される。ＤＶＤレコーダ１０は、出力音声フォーマットの指示（３０Ｍ３）に含まれる音声再生能力の中から、適切なものを選択し、出力音声の音声フォーマットとして使用する。例えば、再生中のＤＶＤに記録されている音声データの音声フォーマットが５．１チャンネルのＤｏｌｂｙ  Ｄｉｇｉｔａｌで、かつ出力音声フォーマットの指示（３０Ｍ３）に含まれる音声再生能力の中に５．１チャンネルのＤｏｌｂｙ  Ｄｉｇｉｔａｌが含まれている場合には、出力音声の音声フォーマットとして５．１チャンネルのＤｏｌｂｙ  Ｄｉｇｉｔａｌを使用する。
【０１０３】
したがって、ＤＶＤレコーダ１０は、ＴＶ３１のＥＤＩＤ３１Ｃの音声再生能力情報３１Ｃ２の記載とは無関係に、最適な出力音声フォーマットに合わせることができる。
【０１０４】
本発明の第２の実施の形態に係る映像音声データ再生方法を実現する各装置の構成について、図面を参照しながら詳細に説明する。
【０１０５】
図１３は、本発明の第２の実施の形態に係る音声出力機器の構成を示す図であり、音声出力機器としてＡＶアンプ２１が該当する。図１０と同じ番号を付した処理部は、第１の実施の形態と同様の動作を行う。
【０１０６】
ＡＶアンプ２１は、図１０に示すＡＶアンプ２０の構成に加えて、光デジタル音声ＩＮ部２１６を備え、また音声出力部２１４の代わりに、音声出力部２１５を備える。
【０１０７】
光デジタル音声ＩＮ部２１６は、光デジタル音声入力ポートであり、本実施の形態では、ＴＶ３１と光デジタル音声ケーブルで接続され、ＴＶ３１より音声データの受信を行う。
【０１０８】
音声出力部２１５は、スピーカ部であり、ＴＭＤＳデコード部２１３又は光デジタル音声ＩＮ部２１６から受信した音声を出力する。
【０１０９】
図１４は、本発明の第２の実施の形態に係る映像音声出力機器の構成を示す図であり、映像音声出力機器としてＴＶ３１が該当する。図１１と同じ番号を付した処理部は、第１の実施の形態と同様の動作を行う。
【０１１０】
ＴＶ３１は、図１１に示すＴＶ３０の構成に加えて、光デジタル音声ＯＵＴ部３１１を備える。
【０１１１】
光デジタル音声ＯＵＴ部３１１は、光デジタル音声出力ポートであり、本実施の形態では、ＡＶアンプ２１と光デジタル音声ケーブルで接続され、ＴＭＤＳデコード部３０８から出力される音声データの送信を行う。
【０１１２】
以上により、本実施の形態における映像音声データ再生方法は、制御メッセージによるコマンド通知で、音声再生機器が出力できる音声フォーマットを指定することにより、映像音声再生機器は、任意のタイミングにて、コンテンツ伝送を停止することなく、出力音声を、最適な出力音声フォーマットに合わせることができる。
【０１１３】
また、映像音声出力機器が再生能力情報を切り替えないことにより、映像音声出力機器は、映像音声再生機器に音声再生能力情報を読み取らせる必要がなくなり、それに伴うコンテンツ伝送の停止の発生がなくなる。このため、映像音声再生機器に、映像の途切れなく、適切な音声データの送出に切り替えてもらうことができる。
【０１１４】
なお、ＴＶ３１は、ＤＶＤレコーダ１０に、出力音声フォーマットの指示（３０Ｍ３）を行う際に、ＡＶアンプ２１の音声再生能力ではなく、所定の音声再生能力を送信してもよい。この場合、ＴＶ３１は、音声再生能力の取得要求（３１Ｍ１）をＡＶアンプ２１に送信しなくてもよい。又は、ＴＶ３１はＡＶアンプ２１の音声再生能力を取得できなかった場合に、所定の音声再生能力を送信してもよい。いずれの場合も、ＴＶ３１はＡＶアンプ２１の音声再生能力の一部、又は全部をあらかじめ知っている必要がある。
【０１１５】
なお、第１の実施の形態では、シアターモードからテレビモードへの切り替えについて説明したが、テレビモードからシアターモードへの切り替えも同様に行なうことができる。また、第２の実施の形態では、テレビモードからシアターモードへの切り替えについて説明したが、シアターモードからテレビモードへの切り替えも同様に行なうことができる。
【０１１６】
今回開示された実施の形態はすべての点で例示であって制限的なものではないと考えられるべきである。本発明の範囲は上記した説明ではなくて請求の範囲によって示され、請求の範囲と均等の意味及び範囲内でのすべての変更が含まれることが意図される。
【産業上の利用可能性】
【０１１７】
本発明は、ＤＶＤレコーダなどの映像音声再生機器からの映像音声データ再生方法に適用でき、特に、機器が一方向データ接続により接続され、通信機器間でメッセージが双方向にやり取りされるホームエンターテイメント・ネットワーク等のネットワークに接続される機器での映像音声データ再生方法として適用できる。
【図面の簡単な説明】
【０１１８】
【図１】図１は、ＨＤＭＩ接続構成の例を示す図である。
【図２】図２は、テレビモードでの音声出力の例を示す図である。
【図３】図３は、ＨＤＭＩ接続での映像音声データ再生方法の従来例を示す図である。
【図４】図４は、ＨＤＭＩ接続構成の別の例を示す図である。
【図５】図５は、テレビモードでの音声出力の別の例を示す図である。
【図６】図６は、ＨＤＭＩ接続での映像音声データ再生方法の別の従来例を示す図である。
【図７】図７は、本発明の第１の実施の形態に係るＨＤＭＩ接続での映像音声データ再生方法の例を示す図である。
【図８】図８は、映像音声データ再生システムの外観図である。
【図９】図９は、本発明の第１の実施の形態に係る映像音声再生機器の構成を示す図である。
【図１０】図１０は、本発明の第１の実施の形態に係る音声出力機器の構成を示す図である。
【図１１】図１１は、本発明の第１の実施の形態に係る映像音声出力機器の構成を示す図である。
【図１２】図１２は、本発明の第２の実施の形態に係るＨＤＭＩ接続での映像音声データ再生方法の例を示す図である。
【図１３】図１３は、本発明の第２の実施の形態に係る音声出力機器の構成を示す図である。
【図１４】図１４は、本発明の第２の実施の形態に係る映像音声出力機器の構成を示す図である。
【符号の説明】
【０１１９】
１０  ＤＶＤレコーダ
２０、２１  ＡＶアンプ
３０、３１  ＴＶ
２０Ｐ、３０Ｐ、２０Ｐ＿Ｌ、２０Ｐ＿Ｈ、３１Ｐ  ＨＰＤ信号
２０Ｃ１、３０Ｃ１、２０Ｃ２  音声再生能力情報
【手続補正３】
【補正対象書類名】図面
【補正対象項目名】全図
【補正方法】変更
【補正の内容】
【図１】
2008072695.tif 000017
【図２】
2008072695.tif 000018
【図３】
2008072695.tif 000019
【図４】
2008072695.tif 000020
【図５】
2008072695.tif 000021
【図６】
2008072695.tif 000022
【図７】
2008072695.tif 000023
【図８】
2008072695.tif 000024
【図９】
2008072695.tif 000025
【図１０】
2008072695.tif 000026
【図１１】
2008072695.tif 000027
【図１２】
2008072695.tif 000028
【図１３】
2008072695.tif 000029
【図１４】
2008072695.tif 000030
【国際調査報告】
2008072695.tif 000031
2008072695.tif 000032
2008072695.tif 000033
2008072695.tif 000034